(57)【要約】【課題】中継装置のカバーエリア内で使用される無線リソースを、通信品質の向上のために利用する。【解決手段】中継装置Ｒは、無線信号を受信する第１受信部（１６、１７）と、第１受信部（１６、１７）にて受信した、予め設定された複数の無線リソースに繰り返しマッピングされた同一の第１中継対象信号同士を合成する合成部１８と、合成された第１中継対象信号を送信する第１送信部（１０、１１）を備える。【選択図】図２
2011055213.tif 000002
【特許請求の範囲】
【請求項１】
予め設定された複数の無線リソースに同一の第１中継対象信号が繰り返しマッピングされた無線信号を受信し、
繰り返しマッピングされた同一の前記第１中継対象信号同士を合成し、
合成された前記第１中継対象信号を送信する無線信号の中継方法。
【請求項２】
無線信号を受信する第１受信部と、
前記第１受信部にて受信した、予め設定された複数の無線リソースに繰り返しマッピングされた同一の第１中継対象信号同士を合成する合成部と、
合成された前記第１中継対象信号を送信する第１送信部と、
を備える中継装置。
【請求項３】
前記複数の無線リソースのうち、前記合成された第１中継対象信号が送信される無線リソース以外の無線リソースによる前記第１送信部からの信号出力を停止する停止部を備える請求項２に記載の中継装置。
【請求項４】
第２中継対象信号である無線信号を受信する第２受信部と、
予め設定された複数の無線リソースへ同一の前記第２中継対象信号を繰り返しマッピングする第１マッピング部と、
複数の無線リソースへマッピングされた前記第２中継対象信号を送信する第２送信部と、
を備える請求項２又は３に記載の中継装置。
【請求項５】
前記第１送信部及び前記第２送信部の少なくともいずれかから送信される無線信号の周波数の符号を反転する反転部を備える請求項４に記載の中継装置。
【請求項６】
請求項２又は３に記載の中継装置によって送信信号が中継される無線通信装置であって、
予め設定された複数の無線リソースへ同一の送信信号を繰り返しマッピングする第２マッピング部と、
複数の無線リソースへマッピングされた前記送信信号を送信する第３送信部と、を備える無線通信装置。
【請求項７】
請求項４に記載の中継装置によって中継された無線信号を受信する無線通信装置であって、
無線信号を受信する第３受信部と、
前記第３受信部にて受信した、予め設定された複数の無線リソースに繰り返しマッピングされた同一の前記第２中継対象信号同士を合成する合成部と、
を備える無線通信装置。
【請求項８】
請求項７に記載の無線通信装置としての移動局装置であって、
前記第３受信部により受信された無線信号が前記中継装置によって中継されたか否かを判定する判定部と、
前記判定部による判定結果を前記移動局装置が接続する基地局装置へ通知する判定結果通知部と、
を備える移動局装置。
【請求項９】
請求項２〜５のいずれか一項に記載の中継装置によって、移動局装置との間の無線通信が中継される基地局装置であって、
前記移動局装置と前記基地局装置との間で送信される無線信号がマッピングされる無線リソースの割り当てと、前記中継装置と前記移動局装置との間で送信される無線信号が繰り返しマッピングされる前記複数の無線リソースの割り当てと、を決定するスケジューラと、
前記移動局装置と前記基地局装置との間で送信される無線信号が前記中継装置によって中継されるか否かを判定する判定部と、
決定された前記複数の無線リソースの割り当てを前記中継装置と前記移動局装置とに通知する無線リソース通知部と、を備え、
前記スケジューラは、前記中継装置によって中継されない移動局装置との間の無線通信のために、前記複数の無線リソース以外の無線リソースを割り当てる基地局装置。
【請求項１０】
請求項２〜４のいずれか一項に記載の中継装置によって、移動局装置との間の無線通信が中継される基地局装置であって、
前記移動局装置と前記基地局装置との間で送信される無線信号が前記中継装置によって中継されるか否かを判定する第１判定部を備える基地局装置。
【発明の詳細な説明】
【技術分野】
【０００１】
本明細書で論じられる実施態様は、無線信号の中継方法及び中継装置、ならびにこれら中継方法及び中継装置を用いて伝送信号が中継される無線通信装置、移動局装置及び基地局装置に関する。
【背景技術】
【０００２】
無線通信の分野では、中継装置を用いて基地局装置と移動局装置の間の無線通信を中継する方法が実用化されている。このような中継装置の例は、例えば再生中継を行わないブースタ装置である。
【０００３】
なお、中継先の誤り率特性を改善してスループットを向上させると共に、与干渉電力を軽減して通信システム全体のスループットの低下を防止することができる通信中継装置が提案されている。この通信中継装置では、基地局宛の信号を受信し、復号処理等を行う。また、ビット誤り判定を行い、ビット誤りがない場合は再生中継処理を行う。ビット誤りがある場合は、サブキャリアごとの受信品質を閾値判定する。受信品質が閾値以上の場合、そのサブキャリアは出力され、受信品質が閾値以上でない場合、そのサブキャリアの中継は行われない。いずれかの処理が施された信号が送信される。
【０００４】
また、無線通信システムを構成する複数の無線通信装置のうちの１つの無線通信装置から、他の無線通信装置に送信された信号を非再生中継する中継装置が提案されている。この中継装置は、中継する際に、複数の通信用チャネルのうちから通信用チャネルを選択して中継を行う無線通信システムに用いられる。この中継装置は、中継の起点である無線通信装置が使用する通信用チャネルに関する情報を有する中継フレームを受信する受信部と、該中継フレームを送信する送信部とを含む。
【０００５】
また、データ収集周期内に子局データ収集タイムスロットと中継局データ収集タイムスロットとを設け、データ収集周期の先頭に親局からデータ要求信号を送信し、又中継局データ収集タイムスロットにより中継局からデータ要求信号を送信するデータ収集方法が提案されている。この方法においてデータ要求信号を受信した子局は、子局データ収集タイムスロットをランダム的に選択してデータを送信する。親局はデータを受信した子局を示す応答確認信号を送信する。子局のデータを受信した中継局は、応答確認信号による子局のデータを削除して、親局が受信していない子局のデータを、中継局データ収集タイムスロットに送信する。
【先行技術文献】
【特許文献】
【０００６】
【特許文献１】国際公開第２００６／１１８１２５号
【特許文献２】特開２００８−７９０２３号公報
【特許文献３】特開平６−３３４５８１号公報
【発明の概要】
【発明が解決しようとする課題】
【０００７】
中継装置のカバーエリアは通常、基地局装置のカバーエリアに比べて狭い。このため、中継装置のカバーエリア内に位置する移動局装置の数は、基地局装置のカバーエリア内に位置する移動局装置の数よりも少ないと思われる。この結果、中継装置のカバーエリア内では無線リソースが有効に活用されないことがある。例えば時分割多元接続方式を採用する通信システムの場合には未使用のタイムスロットが発生し、例えば周波数多元接続方式を採用する通信システムの場合には未使用の周波数リソースが発生する。
【０００８】
実施態様に係る装置及び方法は、通信品質の向上のために、中継装置のカバーエリア内の無線リソースを利用することを目的とする。
【課題を解決するための手段】
【０００９】
一実施態様による無線信号の中継方法においては、予め設定された複数の無線リソースに同一の第１中継対象信号が繰り返しマッピングされた無線信号を受信し、繰り返しマッピングされた同一の第１中継対象信号同士を合成し、合成された第１中継対象信号を送信する。
【００１０】
他の一実施態様による中継装置は、無線信号を受信する第１受信部と、第１受信部にて受信した複数の無線リソースに繰り返しマッピングされた同一の第１中継対象信号同士を合成する合成部と、合成された第１中継対象信号を送信する第１送信部を備える。
【発明の効果】
【００１１】
本件開示の装置又は方法によれば、中継装置のカバーエリア内の無線リソースを、通信品質の向上のために利用することができる。
【図面の簡単な説明】
【００１２】
【図１】無線通信システムにおける第１実施例の構成図である。
【図２】図１に示す中継装置の第１構成例を示す図である。
【図３】図１に示す移動局装置の第１構成例を示す図である。
【図４】ダウンリンクにおける中継処理の説明図である。
【図５】（Ａ）及び（Ｂ）は、ダウンリンク信号の第１例の説明図である。
【図６】（Ａ）及び（Ｂ）は、ダウンリンク信号の第２例の説明図である。
【図７】アップリンクにおける中継処理の説明図である。
【図８】（Ａ）及び（Ｂ）は、アップリンク信号の第１例の説明図である。
【図９】（Ａ）及び（Ｂ）は、アップリンク信号の第２例の説明図である。
【図１０】図１に示す基地局装置の構成例を示す図である。
【図１１】図１に示す中継装置の第２構成例を示す図である。
【図１２】図１に示す中継装置の第３構成例を示す図である。
【図１３】図１に示す移動局装置の第２構成例を示す図である。
【図１４】図１に示す中継装置の第４構成例を示す図である。
【図１５】（Ａ）は第１マッパーの構成例を示す図であり、（Ｂ）は第２マッパーの構成例を示す図である。
【図１６】図１に示す移動局装置の第３構成例を示す図である。
【図１７】無線通信システムにおける第２実施例の構成図である。
【図１８】図１７に示す中継装置の第１構成例を示す図である。
【図１９】（Ａ）〜（Ｄ）は、ダウンリンク信号の第３例の説明図である。
【図２０】図１７に示す移動局装置の第１構成例を示す図である。
【図２１】（Ａ）〜（Ｄ）は、アップリンク信号の第３例の説明図である。
【図２２】図１７に示す中継装置の第２構成例を示す図である。
【図２３】図１７に示す移動局装置の第２構成例を示す図である。
【図２４】無線通信システムにおける第３実施例の構成図である。
【図２５】図２４に示す中継装置の構成例を示す図である。
【図２６】図２４に示す移動局装置の構成例を示す図である。
【図２７】図２４に示す基地局装置の第１構成例を示す図である。
【図２８】（Ａ）〜（Ｃ）は、ダウンリンク信号の第４例の説明図である。
【図２９】（Ａ）〜（Ｃ）は、アップリンク信号の第４例の説明図である。
【図３０】指示情報付加部の構成例を示す図である。
【図３１】中継判定部の第１構成例を示す図である。
【図３２】図２４に示す基地局装置の第２構成例を示す図である。
【図３３】中継判定部の第２構成例を示す図である。
【図３４】無線通信システムにおける第４実施例の構成図である。
【図３５】図３４に示す基地局装置によるスケジューリング処理の説明図である。
【発明を実施するための形態】
【００１３】
以下、添付する図面を参照して本発明の実施例について説明する。図１は、無線通信システムにおける第１実施例の構成図である。参照符号１は無線通信システムを示し、参照符号ＢＳは基地局装置を示し、参照符号ＭＳ１〜ＭＳ３は移動局装置を示し、参照符号Ｒは中継装置を示す。無線通信システム１は、基地局装置ＢＳと、移動局装置ＭＳ１〜ＭＳ３と、中継装置Ｒとを備える。移動局装置ＭＳ１〜ＭＳ３を総称して移動局装置ＭＳと表記することがある。
【００１４】
中継装置Ｒは、基地局装置ＢＳと移動局装置ＭＳとの間の無線通信を中継する。例えば中継装置Ｒは、基地局装置ＢＳがカバーするセル内の不感地帯へカバーエリアを拡大するために利用される。中継装置Ｒは、例えば再生中継を行わないブースタ装置であってよい。本例では、移動局装置ＭＳ３が、中継装置Ｒによって中継されている場合を想定する。
【００１５】
中継装置Ｒのカバーエリアに位置する移動局装置ＭＳの数は、基地局装置ＢＳのカバーエリアに位置する移動局装置ＭＳの数よりも少ない。このため従来の中継装置のカバーエリア内では、使用されない周波数リソースやタイムスロットが発生し、これらの無線リソースの利用効率が低下する場合がある。
【００１６】
例えばダウンリンクの場合には、中継装置は基地局装置からの無線信号をそのまま増幅して再送信する。このため中継装置は、中継装置のカバーエリア外の移動局装置宛の無線信号までカバーエリア内に中継している。また、例えばアップリンクの場合には、中継装置のカバーエリア外に位置する移動局装置に割り当てられた無線リソースは使用されないため、中継装置Ｒのカバーエリア内で使用されない無線リソースが発生する。
【００１７】
本実施例では、中継装置Ｒのカバーエリア内で使用される無線リソースを通信品質の向上のために活用する。このため、中継装置Ｒのカバーエリア内では、ダウンリンクにおいて中継装置Ｒが同一の送信対象信号を複数の無線リソースに繰り返しマッピングして移動局装置へ送信する。このとき移動局装置は、複数の無線リソースに繰り返しマッピングされた信号を合成する。一方で中継装置Ｒのカバーエリア内では、アップリンクにおいて移動局装置が同一の送信対象信号を複数の無線リソースに繰り返しマッピングして中継装置Ｒへ送信する。このとき中継装置Ｒは、複数の無線リソースに繰り返しマッピングされた信号を合成する。
【００１８】
例えば、複数の無線リソースに繰り返しマッピングする反復数が「ｎ」であるとする。複数の無線リソース同士の伝搬経路特性が同じであると仮定すると、合成された信号成分の振幅の強度は「ｎ」倍になる一方で、ノイズ成分の振幅強度は「√ｎ」倍となることが期待される。本実施例によれば、中継装置Ｒと移動局装置ＭＳとの間の通信品質が向上する。
【００１９】
図２は、図１に示す中継装置Ｒの第１構成例を示す図である。参照符号１０及び１７はアンテナを示し、参照符号１１及び１６はアンテナ共用器（ＤＵＰ：DUPlexer）を示し、参照符号１２は無線リソース情報受信部を示し、参照符号１３は無線リソース情報記憶部を示す。参照符号１４は同期検出部を示し、参照符号１５はマッピング部を示し、参照符号１８は合成部を示す。
【００２０】
中継装置Ｒは、アンテナ１０及び１７と、アンテナ共用器１１及び１６と、無線リソース情報受信部１２と、無線リソース情報記憶部１３と、同期検出部１４と、マッピング部１５と、合成部１８を備える。
【００２１】
アンテナ１０は、基地局装置ＢＳから中継対象信号を受信し、及び基地局装置ＢＳへ中継対象信号を送信するためのアンテナである。アンテナ１０により受信された受信信号は、アンテナ共用器１１を経由して中継装置Ｒ内の受信部内に取り込まれる。アンテナ１０及びアンテナ共用器１１は、特許請求の範囲の第２受信部の一例として挙げられる。アンテナ１０により受信された受信信号は、無線リソース情報受信部１２と、同期検出部１４とマッピング部１５に入力される。
【００２２】
無線リソース情報受信部１２は、基地局装置ＢＳから送信される無線リソース情報を受信する。無線リソース情報は、中継装置Ｒと中継装置Ｒの中継対象の移動局装置ＭＳ３との間の無線通信において、移動局装置ＭＳ３へ送信される信号が繰り返しマッピングされる複数の無線リソースを指定する情報と、移動局装置ＭＳ３から送信される信号が繰り返しマッピングされる複数の無線リソースを指定する情報を含む。無線リソース情報記憶部１３には、無線リソース情報受信部１２により受信された無線リソース情報が記憶される。
【００２３】
同期検出部１４は、基地局装置ＢＳから受信した受信信号に基づいて、基地局装置ＢＳと同期し、中継対象信号の処理タイミングを示すタイミング信号を生成する。例えば、同期検出部１４は、基地局装置ＢＳから送信されるパイロット信号を用いて、基地局装置ＢＳと同期してよい。マッピング部１５は、同期検出部１４が生成するタイミング信号に従って、移動局装置ＭＳ３へ送信する中継対象信号を、無線リソース情報記憶部１３に記憶された無線リソース情報に指定される複数の無線リソースへ繰り返しマッピングする。
【００２４】
アンテナ１７は、中継装置Ｒのカバーエリア内の移動局装置ＭＳ３から中継対象信号を受信し、及び移動局装置ＭＳ３へ中継対象信号を送信するためのアンテナである。中継対象信号が複数の無線リソースへマッピングされた信号は、アンテナ共用器１６及びアンテナ１７を経由して中継装置Ｒ内の信号処理回路から送信される。アンテナ１７及びアンテナ共用器１６は、特許請求の範囲の第２送信部の一例として挙げられる。
【００２５】
移動局装置ＭＳ３から送信されアンテナ１７により受信された受信信号は、アンテナ共用器１６を経由して中継装置Ｒ内の受信部内に取り込まれる。アンテナ１７及びアンテナ共用器１６は、特許請求の範囲の第１受信部の一例として挙げられる。アンテナ１７により受信された受信信号は、合成部１８に入力される。
【００２６】
合成部１８は、無線リソース情報記憶部１３に記憶された無線リソース情報と同期検出部１４が生成するタイミング信号とに従って、移動局装置ＭＳ３が送信したアップリンク信号が繰り返しマッピングされた複数の無線リソース上の信号を合成する。すなわち合成部１８は、この複数の無線リソース上にそれぞれマッピングされた信号同士を足し合わせる。
【００２７】
合成部１８により合成された信号は、アンテナ共用器１１及びアンテナ１０を経由して中継装置Ｒ内の信号処理回路から送信される。アンテナ１０及びアンテナ共用器１１は、特許請求の範囲の第１送信部の一例として挙げられる。
【００２８】
図３は、図１に示す移動局装置ＭＳの第１構成例を示す図である。参照符号２０はアンテナを示し、参照符号２１はアンテナ共用器を示し、参照符号２２は無線リソース情報受信部を示し、参照符号２３は無線リソース情報記憶部を示し、参照符号２４は同期検出部を示す。参照符号２５は合成部を示し、参照符号２６は受信処理部を示し、参照符号２７はベースバンド信号処理部を示し、参照符号２８は送信処理部を示し、参照符号２９はマッピング部を示す。
【００２９】
移動局装置ＭＳは、アンテナ２０と、アンテナ共用器２１と、無線リソース情報受信部２２と、無線リソース情報記憶部２３と、同期検出部２４を備える。また移動局装置ＭＳは、合成部２５と、受信処理部２６と、ベースバンド信号処理部２７と、送信処理部２８と、マッピング部２９を備える。
【００３０】
アンテナ２０は、基地局装置ＢＳからダウンリンク信号を受信し、及び基地局装置ＢＳへアップリンク信号を送信するためのアンテナである。アンテナ２０及びアンテナ共用器２１は、特許請求の範囲の第３受信部及び第３送信部の一例として挙げられる。アンテナ２０により受信された受信信号は、アンテナ共用器２１を経由して移動局装置ＭＳ内の受信部内に取り込まれる。アンテナ２０により受信された受信信号は、合成部２５と同期検出部１４に入力される。
【００３１】
無線リソース情報受信部２２は、基地局装置ＢＳから送信され、かつ後述する受信処理部２６にて復調及び復号された無線リソース情報を、ベースバンド信号処理部２７から入力する。無線リソース情報記憶部２３には、無線リソース情報受信部２２により受信された無線リソース情報が記憶される。
【００３２】
同期検出部２４は、基地局装置ＢＳから受信した受信信号に基づいて、基地局装置ＢＳと同期し、中継対象信号の処理タイミングを示すタイミング信号を生成する。例えば、同期検出部２４は、基地局装置ＢＳから送信されるパイロット信号を用いて、基地局装置ＢＳと同期してよい。合成部２５は、無線リソース情報記憶部２３に記憶された無線リソース情報と同期検出部２４が生成するタイミング信号とに従って、中継装置Ｒにより中継されたダウンリンク信号が繰り返しマッピングされた複数の無線リソース上の信号を合成する。すなわち合成部２５は、この複数の無線リソース上にそれぞれマッピングされた信号同士を足し合わせる。
【００３３】
受信処理部２６は、合成部２５により合成されたダウンリンク信号の復調及び復号処理を行う。ベースバンド信号処理部２７は、基地局装置ＢＳと移動局装置ＭＳとの間で送信されるユーザデータ及び制御情報のベースバンド信号の信号処理を行う。
【００３４】
送信処理部２８は、移動局装置ＭＳから基地局装置ＢＳへ送信するアップリンク信号の符号化及び変調処理を行う。マッピング部２９は、同期検出部２４が生成するタイミング信号に従って、アップリンク信号を、無線リソース情報記憶部２３に記憶された無線リソース情報に指定される複数の無線リソースへ繰り返しマッピングする。アップリンク信号が複数の無線リソースへマッピングされた信号は、アンテナ共用器２１及びアンテナ２０を経由して移動局装置ＭＳから送信される。
【００３５】
続いて、中継装置Ｒによる中継処理を説明する。図４は、ダウンリンクにおける中継処理の説明図である。別な実施の態様においては、下記のオペレーションＡＡ〜ＡＦの各オペレーションはステップであってもよい。オペレーションＡＡにおいて中継装置Ｒは、基地局装置ＢＳから送信されたダウンリンク信号を受信する。
【００３６】
オペレーションＡＢにおいてマッピング部１５は、移動局装置ＭＳ３宛のダウンリンク信号を、基地局装置ＢＳから受信した無線リソース情報にて指定される複数の無線リソースへ繰り返しマッピングすることで、カバーエリア内に送信する信号ＳＣ１を生成する。このように複数の無線リソースへダウンリンク信号が繰り返しマッピングされた信号を、以下の説明において「カバーエリア内ダウンリンク信号」と表記することがある。
【００３７】
オペレーションＡＣにおいて中継装置Ｒは、カバーエリア内ダウンリンク信号ＳＣ１をカバーエリア内に送信する。図５の（Ａ）は、中継装置Ｒのカバーエリア外におけるダウンリンク信号の第１例を示す。ダウンリンク信号は、時分割多元接続方式を用いて多重化されており、参照符号５０１〜５０４は、連続する４つのタイムスロットを示す。タイムスロット５０１及び５０３は、中継装置Ｒの中継対象の移動局装置ＭＳ３宛のダウンリンク信号Ｓ１及びＳ２に割り当てられている。またタイムスロット５０２及び５０４は、中継装置Ｒの中継対象でない移動局装置に割り当てられている。
【００３８】
図５の（Ｂ）は、中継装置Ｒのカバーエリア内のダウンリンク信号の例を示す。この例では、無線リソース情報は、ダウンリンク信号を繰り返し割り当てる複数の無線リソースとして、基地局装置ＢＳと移動局装置ＭＳ３との通信においてダウンリンク信号が割り当てられていた元のタイムスロットと、その次に連続するタイムスロットを指定する。このため、図５の（Ａ）においてタイムスロット５０１にて伝送されるダウンリンク信号Ｓ１は、中継装置Ｒのマッピング部１５により、タイムスロット５０１とこれに連続するタイムスロット５０２に繰り返しマッピングされる。また図５の（Ａ）においてタイムスロット５０３にて伝送されるダウンリンク信号Ｓ２は、タイムスロット５０３とこれに連続するタイムスロット５０４に繰り返しマッピングされる。
【００３９】
図６の（Ａ）は、中継装置Ｒにカバーエリア外におけるダウンリンク信号の第２例を示す。ダウンリンク信号は、周波数分割多元接続方式を用いて多重化されており、参照符号５１１〜５１４は、連続する４つの周波数リソースすなわち周波数帯域を示す。周波数帯域５１１及び５１３は、移動局装置ＭＳ３宛のダウンリンク信号Ｓ１及びＳ２に割り当てられている。また周波数帯域５１２及び５１４は、中継装置Ｒの中継対象でない移動局装置に割り当てられている。
【００４０】
図６の（Ｂ）は、中継装置Ｒのカバーエリア内のダウンリンク信号の例を示す。この例では、無線リソース情報は、ダウンリンク信号を繰り返し割り当てる複数の無線リソースとして、基地局装置ＢＳと移動局装置ＭＳ３との通信においてダウンリンク信号が割り当てられていた元の帯域と、この帯域に隣接する周波数帯域を指定する。このため、図６の（Ａ）において周波数帯域５１１にて伝送されるダウンリンク信号Ｓ１は、中継装置Ｒのマッピング部１５により、周波数帯域５１１とこれに隣接する周波数帯域５１２に繰り返しマッピングされる。また図６の（Ａ）において周波数帯域５１３にて伝送されるダウンリンク信号Ｓ２は、周波数帯域５１３とこれに連続する周波数帯域５１４に繰り返しマッピングされる。
【００４１】
図４を参照する。オペレーションＡＤにおいて移動局装置ＭＳ３は、カバーエリア内ダウンリンク信号ＳＣ１を受信する。オペレーションＡＥにおいて移動局装置ＭＳ３の合成部２５は、カバーエリア内ダウンリンク信号ＳＣ１の複数の無線リソース上にそれぞれマッピングされたダウンリンク信号同士を足し合わせる。
【００４２】
例えば、図５の（Ｂ）に示したカバーエリア内ダウンリンク信号の例では、合成部２５は、タイムスロット５０１と５０２にマッピングされたダウンリンク信号同士を足し合わせる。また、合成部２５は、タイムスロット５０３と５０４にマッピングされたダウンリンク信号同士を足し合わせる。また例えば、図６の（Ｂ）に示したカバーエリア内ダウンリンク信号の例では、合成部２５は、周波数帯域５１１と５１２にマッピングされたダウンリンク信号同士を足し合わせる。また、合成部２５は、周波数帯域５１３と５１４にマッピングされたダウンリンク信号同士を足し合わせる。オペレーションＡＦにおいて受信処理部２６は、合成部２５により合成されたダウンリンク信号の復調及び復号処理を行う。
【００４３】
図７は、アップリンクにおける中継処理の説明図である。別な実施の態様においては、下記のオペレーションＢＡ〜ＢＦの各オペレーションはステップであってもよい。オペレーションＢＡにおいて移動局装置ＭＳ３の送信処理部２８は、移動局装置ＭＳ３から基地局装置ＢＳへ送信するアップリンク信号の符号化及び変調処理を行う。
【００４４】
オペレーションＢＢにおいてマッピング部２９は、アップリンク信号を、基地局装置ＢＳから受信した無線リソース情報にて指定される複数の無線リソースへ繰り返しマッピングすることで、中継装置Ｒのカバーエリア内で送信する信号ＳＣ２を生成する。このように複数の無線リソースへアップリンク信号が繰り返しマッピングされた信号を、以下の説明において「カバーエリア内アップリンク信号」と表記することがある。
【００４５】
オペレーションＢＣにおいて移動局装置ＭＳ３は、カバーエリア内アップリンク信号ＳＣ２を送信する。図８の（Ａ）は、中継装置Ｒのカバーエリア内のアップリンク信号の第１例を示す。アップリンク信号は、時分割多元接続方式を用いて多重化されており、参照符号５２１〜５２４は、連続する４つのタイムスロットを示す。
【００４６】
この例では、無線リソース情報は、アップリンク信号を繰り返し割り当てる複数の無線リソースとして、基地局装置ＢＳと移動局装置ＭＳ３との通信においてアップリンク信号が割り当てられていた元のタイムスロットと、これに先行する連続するタイムスロットを指定する。このためアップリンク信号Ｓ１は、連続する２つのタイムスロット５２１及び５２２にマッピングされ、アップリンク信号Ｓ２は、連続する２つのタイムスロット５２３及び５２４にマッピングされる。
【００４７】
図９の（Ａ）は、中継装置Ｒのカバーエリア内のアップリンク信号の第２例を示す。アップリンク信号は、周波数分割多元接続方式を用いて多重化されており、参照符号５３１〜５３４は、連続する４つの周波数帯域を示す。この例では、無線リソース情報は、アップリンク信号を繰り返し割り当てる複数の無線リソースとして、基地局装置ＢＳと移動局装置ＭＳ３との通信においてアップリンク信号が割り当てられていた元の帯域と、この帯域に隣接する周波数帯域を指定する。このためアップリンク信号Ｓ１は、隣接する２つの周波数帯域５３１及び５３２にマッピングされ、アップリンク信号Ｓ２は、連続する２つの周波数帯域５３３及び５３４にマッピングされる。
【００４８】
図７を参照する。オペレーションＢＤにおいて中継装置Ｒは、カバーエリア内アップリンク信号ＳＣ２を受信する。オペレーションＢＥにおいて中継装置Ｒの合成部１８は、カバーエリア内アップリンク信号ＳＣ２の複数の無線リソース上にそれぞれマッピングされたダウンリンク信号同士を足し合わせる。
【００４９】
例えば、図８の（Ａ）に示したカバーエリア内アップリンク信号の例では、合成部１８は、タイムスロット５２１と５２２にマッピングされたアップリンク信号同士を足し合わせる。また、合成部１８は、タイムスロット５２３と５２４にマッピングされたアップリンク信号同士を足し合わせる。また例えば、図９の（Ａ）に示したカバーエリア内アップリンク信号の例では、合成部１８は、周波数帯域５３１と５３２にマッピングされたアップリンク信号同士を足し合わせる。また、合成部２５は、周波数帯域５３３と５３４にマッピングされたアップリンク信号同士を足し合わせる。
【００５０】
図７を参照する。オペレーションＢＦにおいて中継装置Ｒは、合成部２５により合成された信号を含んだアップリンク信号を送信する。図８の（Ｂ）は、図８の（Ａ）に示すアップリンク信号が中継された場合の、中継装置Ｒのカバーエリア外でのアップリンク信号の例を示す。タイムスロット５２２には、タイムスロット５２１及び５２２において移動局装置ＭＳ３から繰り返し受信したアップリンク信号を合成した信号Ｓ１がマッピングされている。
【００５１】
またタイムスロット５２４には、タイムスロット５２３及び５２４において移動局装置ＭＳ３から繰り返し受信したアップリンク信号を合成した信号Ｓ２がマッピングされている。タイムスロット５２１及び５２３は、中継装置Ｒの中継対象でない移動局装置に割り当てられている。
【００５２】
図９の（Ｂ）は、図９の（Ａ）に示すアップリンク信号が中継された場合の、中継装置Ｒのカバーエリア外でのアップリンク信号の例を示す。周波数帯域５３１には、周波数帯域５３１及び５３２において移動局装置ＭＳ３から繰り返し受信したアップリンク信号を合成した信号Ｓ１がマッピングされている。周波数帯域５３３には、周波数帯域５３３及び５３４において移動局装置ＭＳ３から繰り返し受信したアップリンク信号を合成した信号Ｓ２がマッピングされている。
【００５３】
次に、無線リソース情報の設定方法の一例について説明する。図１０は、図１に示す基地局装置ＢＳの構成例を示す図である。参照符号３０はアンテナを示し、参照符号３１はアンテナ共用器を示し、参照符号３２は無線通信部を示し、参照符号３３はスケジューラを示し、参照符号３４は端末情報記憶部を示し、参照符号３５は無線リソース情報生成部を示す。
【００５４】
基地局装置ＢＳは、アンテナ３０と、アンテナ共用器３１と、無線通信部３２と、スケジューラ３３と、端末情報記憶部３４と、無線リソース情報生成部３５とを備える。アンテナ３０は、移動局装置ＭＳへ無線信号を送信し、及び移動局装置ＭＳから無線受信するためのアンテナである。アンテナ３０にて受信された無線信号はアンテナ共用器３１を介して無線通信部３２へ入力され、無線通信部３２から出力される無線周波数信号は、アンテナ共用器３１を介してアンテナ３０にて無線信号として送信される。
【００５５】
無線通信部３２は、移動局装置ＭＳと基地局装置ＢＳとの間のユーザデータ及び制御情報の送受信処理を行う。スケジューラ３３は、各移動局装置ＭＳと基地局装置ＢＳとの間のそれぞれの無線通信に対する無線リソースの割り当て処理や伝送フォーマットの決定処理を行う。
【００５６】
端末情報記憶部３４は、基地局装置ＢＳに現在接続されておりスケジューラ３３によって基地局装置ＢＳとの間の無線通信の無線リソースが決定される移動局装置ＭＳを記憶する。また端末情報記憶部３４は、現在接続中の移動局装置ＭＳのいずれが中継装置Ｒの中継対象であるかを記憶する。
【００５７】
スケジューラ３３は、中継装置Ｒの中継対象である各移動局装置ＭＳについて、中継装置Ｒのカバーエリア内においてダウンリンク信号が繰り返しマッピングされる複数の無線リソースを決定する。また、スケジューラ３３は、中継装置Ｒの中継対象である各移動局装置ＭＳについて、中継装置Ｒのカバーエリア内においてアップリンク信号が繰り返しマッピングされる複数の無線リソースを決定する。
【００５８】
無線リソース情報生成部３５は、スケジューラ３３により決定された、中継装置Ｒのカバーエリア内においてダウンリンク信号又はアップリンク信号が繰り返しマッピングされる複数の無線リソースを指定する無線リソース情報を生成する。無線通信部３２は、各移動局装置ＭＳに割り当てた無線リソースや伝送フォーマットを示すスケジューリング情報とともに、無線リソース情報を移動局装置ＭＳへ送信する。また無線通信部３２は、各中継装置Ｒへ無線リソース情報を送信する。
【００５９】
スケジューラ３３は、中継装置Ｒのカバーエリア内において時間的に又は周波数空間上において連続する複数の無線リソースにダウンリンク信号やアップリンク信号が繰り返し配置できるように、複数の移動局装置ＭＳへ割り当てる無線リソースを決定してよい。このため、例えばスケジューラ３３は、同一の中継装置Ｒによって中継される複数の移動局装置ＭＳへ割り当てる無線リソースが互いに連続しないように、無線リソースの割り当てを決定してよい。
【００６０】
隣接する複数の無線リソースに信号が配置されることによって、これらの信号が配置される無線リソースによって実現される伝送路の伝送路特性を互いに近似させることができる。互いに特性が近似した伝送路で同一の信号を繰り返し伝送することにより、受信装置において合成される信号同士が近似するため、信号の合成により受信品質がより向上することが期待できる。
【００６１】
本実施例によれば、中継装置Ｒと移動局装置ＭＳ間において複数の無線リソースを用いて繰り返し同じ信号を伝送し、受信側においてこれら繰り返し受信された信号を合成する。このため、中継装置Ｒと移動局装置ＭＳとの間の通信において信号対ノイズ比が向上する。
【００６２】
続いて、中継装置Ｒの他の実施例を説明する。例えば上述のブースタ装置等の中継装置では、受信した無線信号を増幅器で所定のレベルまで増幅してから再送信する。このため中継装置では、受信した無線信号を信号成分だけでなく、中継装置内部の増幅器で発生した雑音まで送信されてしまう。複数の中継装置が一つの基地局装置のカバーエリアに設けられている場合には、各中継装置から出力される雑音成分の合流によって、チャネル容量の低下が生じる。
【００６３】
本実施例では、アップリンクにおいて、中継装置Ｒのカバーエリア内の移動局装置ＭＳのアップリンク信号を基地局装置ＢＳへ送信する無線リソース以外のリソースにおける信号出力を停止する。図１１は、図１に示す中継装置Ｒの第２構成例を示す図である。
【００６４】
参照符号１９は停止部を示す。中継装置Ｒは停止部１９を備える。図２に示す中継装置Ｒが備える構成要素と同様の構成要素には、同じ参照符号を付する。停止部１９は、同期検出部１４が生成するタイミング信号に従って、アンテナ１０から信号を出力する無線リソースを制御する。停止部１９は、中継対象の移動局装置ＭＳのアップリンク信号を送信する無線リソース以外の無線リソースにおける信号出力を停止する。
【００６５】
例えば図８の（Ｂ）に示すアップリンク信号においては、移動局装置ＭＳ３のアップリンク信号が送信されるタイムスロット５２２及び５２４以外のタイムスロット５２１及び５２３において、停止部１９はアンテナ１０からの出力を停止する。また例えば図９の（Ｂ）に示すアップリンク信号においては、移動局装置ＭＳ３のアップリンク信号が送信される周波数帯域５３１及び５３３以外の帯域５３２及び５３４においてサブキャリアの出力を停止する。
【００６６】
本実施例によれば、中継装置Ｒから出力される雑音成分が低減される。このため、各中継装置から出力される雑音成分の合流によるチャネル容量の低下を抑制することができる。
【００６７】
続いて、時分割多重接続方式を用いた通信システムにおける実施例を説明する。図１２は、図１に示す中継装置Ｒの第３構成例を示す図である。参照符号４０及び４２は低雑音アンプを示し、参照符号４１及び４３は高出力アンプを示し、参照符号４４及び４６はバッファを示し、参照符号４５及び４８はスイッチを示し、参照符号４７は加算器を示す。
【００６８】
中継装置Ｒは、低雑音アンプ４０及び４２と、高出力アンプ４１及び４３と、バッファ４４及び４６と、スイッチ４５及び４８と、加算器４７を備える。図１１に示す中継装置Ｒが備える構成要素と同様の構成要素には、同じ参照符号を付する。
【００６９】
低雑音アンプ４０は、アンテナ１０及びアンテナ共用器１１を介して基地局装置ＢＳから受信した信号を増幅する。高出力アンプ４１は、アンテナ共用器１６及びアンテナ１７を介して移動局装置ＭＳ３へ送信する信号を増幅する。低雑音アンプ４２はアンテナ共用器１６及びアンテナ１７を介して移動局装置ＭＳ３から受信した信号を増幅する。高出力アンプ４３は、アンテナ１０及びアンテナ共用器１１を介して基地局装置ＢＳへ送信する信号を増幅する。なお実際の構成においては、低雑音アンプ４０及び４２の後段にアナログディジタル変換器が設けられ、高出力アンプ４１及び４３の前段にディジタルアナログ変換器が設けられるが、説明の簡略のため図示及び説明を省略する。他の実施例においても同様である。
【００７０】
バッファ４４は、中継対象の移動局装置ＭＳ３宛のダウンリンク信号を記憶する。スイッチ４５は、同期検出部１４が生成するタイミング信号に従って、高出力アンプ４１の入力元を切り替える。すなわち、移動局装置ＭＳ３宛のダウンリンク信号が受信されている期間内では、スイッチ４５は、アンテナ１０から受信した信号を高出力アンプ４１へ入力する。無線リソース情報においてダウンリンク信号を再度送信するように指定されたタイムスロットにおいては、スイッチ４５は、バッファ４４に記憶されたダウンリンク信号を高出力アンプ４１へ入力する。
【００７１】
このようなスイッチ４５の動作によって、移動局装置ＭＳ３宛のダウンリンク信号は、複数のタイムスロットによって繰り返し伝送される。すなわちダウンリンク信号は、複数の無線リソースにマッピングされる。したがって、バッファ４４及びスイッチ４５は、図１１に示す中継装置Ｒのマッピング部１５の一例として挙げられる。
【００７２】
バッファ４６は、中継対象の移動局装置ＭＳ３から受信したアップリンク信号を記憶する。加算器４７は、バッファ４６に格納したアップリンク信号の後のタイムスロットで送信された同一のアップリンク信号と、バッファ４６に格納したアップリンク信号とを加算することにより、これらの信号を合成する。バッファ４６及び加算器４７は、図１１に示す中継装置Ｒの合成部１８の一例として挙げられる。
【００７３】
スイッチ４８は、移動局装置ＭＳ３から基地局装置ＢＳへのアップリンク信号の送信タイミングにおいては、加算器４７の出力を高出力アンプ４１へ入力する。それ以外のタイミングでは、高出力アンプ４１への信号入力を停止する。スイッチ４８によって、中継対象の移動局装置ＭＳ３からのアップリンク信号の送信タイミング以外の期間では、中継装置Ｒからのアップリンク信号の出力が停止される。スイッチ４８は、図１１に示す中継装置Ｒの停止部１９の一例として挙げられる。
【００７４】
図１３は、図１に示す移動局装置ＭＳの第２構成例を示す図である。参照符号５０及び５３はバッファを示し、参照符号５１は加算器を示し、参照符号５２及び５４はスイッチを示す。移動局装置ＭＳは、バッファ５０及び５３と、加算器５１と、スイッチ５２及び５４を備える。図３に示す移動局装置ＭＳが備える構成要素と同様の構成要素には、同じ参照符号を付する。なお実際の構成においては、アンテナ共用器２１とバッファ５０との間にアナログディジタル変換器が設けられ、スイッチ５４とアンテナ共用器２１との間にディジタルアナログ変換器が設けられるが、説明の簡略のため図示及び説明を省略する。
【００７５】
バッファ５０は、中継装置Ｒから受信したダウンリンク信号を記憶する。加算器５１は、バッファ５０に格納したアップリンク信号の後のタイムスロットで送信された同一のダウンリンク信号と、バッファ５０に格納したダウンリンク信号とを加算することにより、これらの信号を合成する。スイッチ５２は、同期検出部２４から出力されるタイミング信号にしたがって、加算器５１により合成されたダウンリンク信号を受信処理部２６の入力へ接続する。バッファ５０、加算器５１及びスイッチ５２は、図３に示す移動局装置ＭＳの合成部２５の一例として挙げられる。
【００７６】
バッファ５３は、中継装置Ｒへ送信するアップリンク信号を記憶する。スイッチ５４は、同期検出部２４が生成するタイミング信号に従って、アンテナ２０への信号の供給源を切り替える。すなわち、移動局装置ＭＳ３から中継装置Ｒへアップリンク信号が送信される最初のタイムスロットの期間内では、スイッチ５４は、送信処理部２８から出力される信号をアンテナ２０へ入力する。無線リソース情報においてアップリンク信号を再度送信するように指定されたタイムスロットにおいては、スイッチ５４は、バッファ５３に記憶されたアップリンク信号をアンテナ２０へ入力する。バッファ５３及びスイッチ５４は、図３に示す移動局装置ＭＳのマッピング部２９の一例として挙げられる。
【００７７】
本実施例によれば、時分割多重接続方式を用いた通信システムにおいて、中継装置Ｒと移動局装置ＭＳ間において複数の無線リソースを用いて繰り返し信号を伝送し、中継装置Ｒと移動局装置ＭＳとの間の通信における信号対ノイズ比を向上することができる。
【００７８】
続いて、周波数分割多重方式の一例として、直交周波数分割多重接続（OFDMA: Orthogonal Frequency Division Multiple Access）方式を用いた通信システムにおける実施例を説明する。図１４は、図１に示す中継装置Ｒの第４構成例を示す図である。参照符号６０及び６３は高速フーリエ変換（ＦＦＴ: Fast Fourier Transform）部を示し、参照符号６１は第１マッパーを示す。参照符号６２及び６５は、逆高速フーリエ変換（ＩＦＦＴ: Inverse Fast Fourier Transform）部を示し、参照符号６４は第２マッパーを示す。
【００７９】
中継装置Ｒは、高速フーリエ変換部６０及び６３と、第１マッパー６１及び第２マッパー６４と、逆高速フーリエ変換６２及び６５を備える。図１１に示す中継装置Ｒが備える構成要素と同様の構成要素には、同じ参照符号を付する。なお実際の構成においては、逆高速フーリエ変換６２及び６５の後段にサイクリックプレフィクス（CP: Cyclic Prefix）付加部が設けられるが、説明の簡略のため図示及び説明を省略する。他の実施例においても同様である。
【００８０】
同期検出部１４は、シンボルタイミング同期用のタイミング信号を、高速フーリエ変換部６０及び６３、第１マッパー６１及び第２マッパー６４、並びに逆高速フーリエ変換６２及び６５に与える。高速フーリエ変換部６０は、基地局装置ＢＳから受信したＯＦＤＭ（直交周波数分割多重：Orthogonal Frequency Division Multiple）信号をフーリエ変換することにより、複数のサブキャリアをそれぞれ変調する複素シンボル列を抽出する。逆高速フーリエ変換部６２は、複素シンボル列で複数のサブキャリアを変調することによりＯＦＤＭ信号を生成する。生成されたＯＦＤＭ信号は、高出力アンプ４１により増幅されてアンテナ１７から出力される。
【００８１】
高速フーリエ変換部６０から出力される複素シンボルは、逆高速フーリエ変換部６２へ入力される。第１マッパー６１は、高速フーリエ変換部６０から出力される複素シンボルと、逆高速フーリエ変換部６２において各サブキャリアをそれぞれ変調する複素シンボルとの間のマッピングを行う。第１マッパー６１は、中継対象の移動局装置ＭＳ３のダウンリンク信号の各複素シンボルによって、移動局装置ＭＳ３へのダウンリンク信号を送信するサブキャリアとして無線リソース情報で指定された複数のサブキャリアが変調されるようにマッピング処理を行ってよい。
【００８２】
図１５の（Ａ）は第１マッパー６１の構成例を示す図である。高速フーリエ変換部６０からは、複数のサブキャリアＳＣ１〜ＳＣ１０をそれぞれ変調する複素シンボルがそれぞれ出力される。第１マッパー６１は、中継装置Ｒの中継対象の移動局装置ＭＳに割り当てられたサブキャリアＳＣ１を変調する複素シンボルを、複数のサブキャリアＳＣ１及びＳＣ２を変調する複素シンボルとして、逆高速フーリエ変換部６２に入力する。同様に第１マッパー６１は、中継装置Ｒの中継対象の移動局装置ＭＳに割り当てられたサブキャリアＳＣ３を変調する複素シンボルを、複数のサブキャリアＳＣ３及びＳＣ４を変調する複素シンボルとして、逆高速フーリエ変換部６２に入力する。中継装置Ｒの中継対象の移動局装置ＭＳに割り当てられたサブキャリアＳＣ５、７及び９についても同様である。
【００８３】
このようなマッピング処理によって移動局装置ＭＳ３宛のダウンリンク信号は、複数の周波数帯域によって繰り返し伝送される。すなわちダウンリンク信号は、複数の無線リソースにマッピングされる。したがって、高速フーリエ変換部６０、第１マッパー６１及び逆高速フーリエ変換部６２は、図１１に示す中継装置Ｒのマッピング部１５の一例として挙げられる。
【００８４】
図１４を参照する。高速フーリエ変換部６３は、移動局装置ＭＳ３から受信したＯＦＤＭ信号をフーリエ変換することにより、複数のサブキャリアをそれぞれ変調する複素シンボル列を抽出する。逆高速フーリエ変換部６５は、複素シンボル列で複数のサブキャリアを変調することによりＯＦＤＭ信号を生成する。生成されたＯＦＤＭ信号は、高出力アンプ４３により増幅されてアンテナ１０から出力される。
【００８５】
高速フーリエ変換部６３から出力される複素シンボルは、逆高速フーリエ変換部６５へ入力される。第２マッパー６４は、高速フーリエ変換部６３から出力される複素シンボルと、逆高速フーリエ変換部６５において各サブキャリアをそれぞれ変調する複素シンボルとの間のマッピングを行う。
【００８６】
第２マッパー６４は、中継装置Ｒの中継対象の移動局装置ＭＳ３からアップリンク信号を送信するサブキャリアとして無線リソース情報によって指定された複数のサブキャリアをそれぞれ変調する複素シンボルを合成する。第２マッパー６４は、合成したシンボルで、移動局装置ＭＳ３のアップリンク信号を中継装置Ｒから送信するために割り当てられたサブキャリアが変調されるように、逆高速フーリエ変換部６５へ入力するシンボルのマッピングを行う。
【００８７】
図１５の（Ｂ）は第２マッパー６４の構成例を示す図である。第２マッパー６４は、複数のサブキャリアからそれぞれ抽出された複素シンボル同士を合成する加算器７０〜７４を備える。高速フーリエ変換部６３からは、複数のサブキャリアＳＣ１〜ＳＣ１０をそれぞれ変調する複素シンボルがそれぞれ出力される。
【００８８】
加算器７０は、中継装置Ｒの中継対象の移動局装置ＭＳからアップリンク信号を送信するサブキャリアとして無線リソース情報によって指定された複数のサブキャリアＳＣ１及びＳＣ２をそれぞれ変調する複素シンボルを加算する。第２マッパー６４は、加算器７０から出力される複素シンボルを、サブキャリアＳＣ１を変調する複素シンボルとして、逆高速フーリエ変換部６５に入力する。同様に加算器７１は、無線リソース情報によって指定された複数のサブキャリアＳＣ３及びＳＣ４をそれぞれ変調する複素シンボルを加算する。第２マッパー６４は、加算器７１から出力される複素シンボルを、サブキャリアＳＣ３を変調する複素シンボルとして、逆高速フーリエ変換部６５に入力する。無線リソース情報によって指定された複数のサブキャリアＳＣ５及びＳＣ６、ＳＣ７及びＳＣ８、並びにＳＣ９及びＳＣ１０についても同様である。
【００８９】
このようなマッピング処理によって、高速フーリエ変換部６３、第２マッパー６４及び逆高速フーリエ変換部６５は、移動局装置ＭＳ３から複数のサブキャリアを用いて繰り返し伝送されたアップリンク信号を合成する。したがって高速フーリエ変換部６３、第２マッパー６４及び逆高速フーリエ変換部６５は、図１１に示す中継装置Ｒの合成部１８の一例として挙げられる。
【００９０】
また第２マッパー６４は、アップリンク信号を基地局装置ＢＳへ送信しないサブキャリアＳＣ２、ＳＣ４、ＳＣ６、ＳＣ８及びＳＣ１０を変調するシンボルとして「０」を逆高速フーリエ変換部６５に入力する。このため、これらのサブキャリアの成分は中継装置Ｒから出力されなくなる。第２マッパー６４は、図１１に示す中継装置Ｒの停止部１９の一例として挙げられる。
【００９１】
図１６は、図１に示す移動局装置ＭＳの第３構成例を示す図である。参照符号８０は高速フーリエ変換部を示し、参照符号８１は第１マッパーを示す。参照符号８３は第２マッパーを示し、参照符号８４は逆高速フーリエ変換部を示す。移動局装置ＭＳは、高速フーリエ変換部８０と、第１マッパー８１及び第２マッパー８３と、逆高速フーリエ変換部８４を備える。図３に示す移動局装置ＭＳが備える構成要素と同様の構成要素には、同じ参照符号を付する。なお実際の構成においては、アンテナ共用器２１と高速フーリエ変換部８０との間にアナログディジタル変換器が設けられ、逆フーリエ変換部８４とアンテナ共用器２１との間にディジタルアナログ変換器が設けられるが、説明の簡略のため図示及び説明を省略する。また実際の構成においては、逆高速フーリエ変換８４の後段にはサイクリックプレフィクス（CP: Cyclic Prefix）付加部が設けられるが、説明の簡略のため図示及び説明を省略する。
【００９２】
同期検出部２４は、シンボルタイミング同期用のタイミング信号を、高速フーリエ変換部８０、第１マッパー８１及び第２マッパー８３、並びに逆高速フーリエ変換８４に与える。高速フーリエ変換部８０は、中継装置Ｒから受信したＯＦＤＭ信号をフーリエ変換することにより、複数のサブキャリアをそれぞれ変調する複素シンボル列を抽出する。受信処理部２６は、高速フーリエ変換部８０により抽出された複素シンボル列を復調及び復号する。
【００９３】
第１マッパー８１は、高速フーリエ変換部８０から出力される複素シンボルと、受信処理部２６により復調及び復号される複素シンボルとの間のマッピングを行う。第１マッパー８１は、中継装置Ｒからダウンリンク信号を送信するサブキャリアとして、無線リソース情報によって指定された複数のサブキャリアをそれぞれ変調する複素シンボルを合成する。第１マッパー８１は、合成したシンボルを、復調及び復号する複素シンボルとして受信処理部２６へ出力する。第１マッパー８１の構成は、図１５の（Ｂ）に示した第２マッパー６４と同様の構成であってよい。高速フーリエ変換部８０及び第１マッパー８１は、図３に示す移動局装置ＭＳの合成部２５の一例として挙げられる。
【００９４】
逆高速フーリエ変換部８４は、送信処理部２８から出力される複素シンボル列で複数のサブキャリアを変調することによりＯＦＤＭ信号を生成する。生成されたＯＦＤＭ信号は、アンテナ共用器２１を介してアンテナ２０から出力される。
【００９５】
第２マッパー８３は、送信処理部２８から出力される複素シンボルと、逆高速フーリエ変換部８４において各サブキャリアをそれぞれ変調する複素シンボルとの間のマッピングを行う。第２マッパー８３は、中継対象の移動局装置ＭＳ３のアップリンク信号の各複素シンボルによって、移動局装置ＭＳ３からアップリンク信号を送信するサブキャリアとして無線リソース情報で指定された複数のサブキャリアが変調されるようにマッピング処理を行ってよい。第２マッパー８３の構成は、図１５の（Ａ）に示した第１マッパー６１と同様の構成であってよい。第２マッパー８３及び逆高速フーリエ変換部８４は、図３に示す移動局装置ＭＳのマッピング部２９の一例として挙げられる。
【００９６】
本実施例によれば、直交周波数分割多重接続方式を用いた通信システムにおいて、中継装置Ｒと移動局装置ＭＳ間において複数の無線リソースを用いて繰り返し信号を伝送し、中継装置Ｒと移動局装置ＭＳとの間の通信における信号対ノイズ比を向上することができる。
【００９７】
なお、図１２及び図１４に示す中継装置Ｒの構成を組み合わせ、かつ図１３及び図１５に示す移動局装置ＭＳの構成を組み合わせてもよい。このように時分割多重接続方式のための構成と、直交周波数分割多重接続方式のための構成を組み合わせることにより、中継装置Ｒと移動局装置ＭＳ間において、複数のタイムスロット及び複数の周波数リソースに、同一信号を繰り返しマッピングしてもよい。以下の実施例においても同様である。
【００９８】
図１７は、無線通信システム１における第２実施例の構成図である。参照符号Ｒ１及びＲ２は中継装置を示す。中継装置Ｒ１及びＲ２を総称して中継装置Ｒと表記することがある。本実施例では、複数の中継装置Ｒ１及びＲ２が無線通信システム１に設けられている。図１に示す無線通信システム１が備える構成要素と同様の構成要素には、同じ参照符号を付する。本例では、移動局装置ＭＳ２が中継装置Ｒ１によって中継され、移動局装置ＭＳ３が中継装置Ｒ２によって中継される場合を想定する。
【００９９】
本実施例では、中継装置Ｒ１のカバー範囲と中継装置Ｒ２のカバー範囲とが重複しても、中継装置Ｒ１が送受信する無線信号と中継装置Ｒ２が送受信する無線信号とが干渉しないように、各中継装置Ｒ１及びＲ２に固有の直交符号がそれぞれ与えられる。各中継装置Ｒ１及びＲ２のそれぞれのカバーエリアにおいて、複数の無線リソースに繰り返しマッピングされる信号のそれぞれに直交符号の各ビットを乗じて送信することにより、中継装置間の干渉が低減される。
【０１００】
図１８は、図１７に示す中継装置Ｒの第１構成例を示す図である。参照符号９０は直交符号生成部９０を示し、参照符号９１及び９２は乗算部を示す。中継装置Ｒは、直交符号生成部９０と、乗算部９１及び９２を備える。図１２に示す中継装置Ｒが備える構成要素と同様の構成要素には、同じ参照符号を付する。
【０１０１】
直交符号生成部９０は、同期検出部１４が生成するタイミング信号に従うタイミングで、各中継装置Ｒに固有の直交符号を生成する。直交符号の例は、例えば、ウオールシュ符号やアダマール符号であってよい。ここでは、図１７に示す中継装置Ｒ１に符号”１、１”を、中継装置Ｒ２には符号”１、−１”を、直交符号として割り当てる場合を想定する。
【０１０２】
乗算部９１は、バッファ４４及びスイッチ４５が複数のタイムスロットに繰り返しマッピングしたダウンリンク信号に、直交符号を乗じる。すなわち乗算部９１は、複数のタイムスロットに繰り返しマッピングしたダウンリンク信号のそれぞれに、直交符号に含まれた複数のビットのそれぞれを乗じる。
【０１０３】
例えば、同一のダウンリンク信号が２つのタイムスロットに繰り返しマッピングされたとする。中継装置Ｒ１の乗算部９１は、第１番目のタイムスロット及び第２番目のタイムスロットにマッピングされたダウンリンク信号に、直交符号に含まれる第１ビット”１”及び第２ビット”１”をそれぞれ乗じる。中継装置Ｒ２の乗算部９１は、第１番目のタイムスロット及び第２番目のタイムスロットにマッピングされたダウンリンク信号に、直交符号に含まれる第１ビット”１”及び第２ビット”−１”をそれぞれ乗じる。
【０１０４】
図１９の（Ａ）は、中継装置Ｒ１のカバーエリア外でのダウンリンク信号の例を示す。参照符号５４１〜５４４は、連続する４つのタイムスロットを示す。タイムスロット５４１及び５４３は、中継装置Ｒ１の中継対象の移動局装置ＭＳ２宛のダウンリンク信号Ｓ１１及びＳ１２に割り当てられている。またタイムスロット５４２及び５４４は、中継装置Ｒ１の中継対象でない移動局装置に割り当てられている。
【０１０５】
図１９の（Ｂ）は、中継装置Ｒ１のカバーエリア内のダウンリンク信号の例を示す。この例では、図１９の（Ａ）においてタイムスロット５４１にて伝送されるダウンリンク信号Ｓ１１は、タイムスロット５４１とこれに連続するタイムスロット５４２に繰り返しマッピングされる。また図１９の（Ａ）においてタイムスロット５４３にて伝送されるダウンリンク信号Ｓ１２は、タイムスロット５４３とこれに連続するタイムスロット５４４に繰り返しマッピングされる。
【０１０６】
連続するタイムスロット５４１及び５４２にそれぞれマッピングされたダウンリンク信号Ｓ１１には、直交符号の第１ビット”１”及び第２ビット”１”がそれぞれ乗じられる。同様に連続するタイムスロット５４３及び５４４にそれぞれマッピングされたダウンリンク信号Ｓ１２には、直交符号の第１ビット”１”及び第２ビット”１”がそれぞれ乗じられる。
【０１０７】
図１９の（Ｃ）は、中継装置Ｒ２のカバーエリア外でのダウンリンク信号の例を示す。参照符号５５１〜５５４は、連続する４つのタイムスロットを示す。タイムスロット５５１及び５５３は、中継装置Ｒ２の中継対象の移動局装置ＭＳ３宛のダウンリンク信号Ｓ２１及びＳ２２に割り当てられている。またタイムスロット５５２及び５５４は、中継装置Ｒ２の中継対象でない移動局装置に割り当てられている。
【０１０８】
図１９の（Ｄ）は、中継装置Ｒ２のカバーエリア内のダウンリンク信号の例を示す。この例では、図１９の（Ｃ）においてタイムスロット５５１にて伝送されるダウンリンク信号Ｓ２１は、タイムスロット５５１とこれに連続するタイムスロット５５２に繰り返しマッピングされる。また図１９の（Ｃ）においてタイムスロット５５３にて伝送されるダウンリンク信号Ｓ２２は、タイムスロット５５３とこれに連続するタイムスロット５５４に繰り返しマッピングされる。
【０１０９】
連続するタイムスロット５５１及び５５２にそれぞれマッピングされたダウンリンク信号Ｓ２１には、直交符号の第１ビット”１”及び第２ビット”−１”がそれぞれ乗じられる。この結果、タイムスロット５５２で伝送される信号−Ｓ２１は、タイムスロット５５１で伝送される信号Ｓ２１の符号を反転した信号となる。同様に連続するタイムスロット５５３及び５５４にそれぞれマッピングされたダウンリンク信号Ｓ２２にも、直交符号の第１ビット”１”及び第２ビット”−１”がそれぞれ乗じられる。この結果、タイムスロット５５４で伝送される信号−Ｓ２２は、タイムスロット５５３で伝送される信号Ｓ２２の符号を反転した信号となる。
【０１１０】
図１８を参照する。後述するように、中継装置によって中継されている移動局装置ＭＳは、アップリンク信号を送信する際に、複数のタイムスロットにマッピングされた信号に直交符号を乗じる。乗算部９２は、移動局装置ＭＳからの受信信号に、中継装置Ｒに固有の直交符号を乗じる。乗算部９２により直交符号が乗じられた複数のタイムスロットのアップリンク信号は、バッファ４６及び加算器４７によって合成される。移動局装置ＭＳによってアップリンク信号に乗じられている直交符号と、この中継装置Ｒに固有の直交符号とが等しいとき、バッファ４６及び加算器４７による合成処理によって元のアップリンク信号が再生される。
【０１１１】
アップリンク信号に乗じられている直交符号と中継装置Ｒに固有の直交符号が等しくない場合には、バッファ４６及び加算器４７による合成後の信号成分は「０」となる。したがって、他の中継装置によって中継されている移動局装置ＭＳからの受信信号は、中継対象の移動局装置ＭＳからの受信信号に干渉しない。
【０１１２】
図２０は、図１７に示す移動局装置ＭＳの第１構成例を示す図である。参照符号９３は直交符号検出部を示し、参照符号９４及び９５は乗算部を示す。移動局装置ＭＳは、直交符号検出部９３と、乗算部９４及び９５を備える。図１３に示す移動局装置ＭＳが備える構成要素と同様の構成要素には、同じ参照符号を付する。なお実際の構成においては、アンテナ共用器２１と乗算部９４との間にアナログディジタル変換器が設けられ、乗算部９５とアンテナ共用器２１との間にディジタルアナログ変換器が設けられるが、説明の簡略のため図示及び説明を省略する。
【０１１３】
直交符号検出部９３は、受信信号の複数のタイムスロットに繰り返しマッピングされたダウンリンク信号に乗じられている直交符号を検出する。例えば、直交符号検出部９３は、中継装置Ｒに割り当てられることが予想される複数の直交符号をそれぞれダウンリンク信号に乗じて、所定の閾値を超える信号強度が検出されたときの直交符号を、ダウンリンク信号に乗じられている直交符号として検出してよい。
【０１１４】
乗算部９４は、受信信号の複数のタイムスロットに繰り返しマッピングされたダウンリンク信号に検出した直交符号を乗じる。直交符号が乗じられた複数のタイムスロットにそれぞれマッピングされたダウンリンク信号を、バッファ５０及び加算器５１によって合成することによって本来のアップリンク信号が再生される。
【０１１５】
移動局装置ＭＳを中継する中継装置Ｒとは異なる他の中継装置によって中継された信号成分が混在しても、他の中継装置から送信された信号成分は、バッファ５０及び加算器５１による合成処理によって「０」となる。したがって、他の中継装置から送信される信号による干渉は、移動局装置ＭＳが受信するダウンリンク信号へ干渉しない。
【０１１６】
乗算器９５は、バッファ５３及びスイッチ５４が複数のタイムスロットに繰り返しマッピングしたアップリンク信号に、直交符号検出部９３が検出した直交符号を乗じる。直交符号を乗じられたアップリンク信号は、アンテナ２０から中継装置Ｒへ送信される。
【０１１７】
図２１の（Ａ）は、中継装置Ｒ１のカバーエリア内のアップリンク信号の例を示す。参照符号５６１〜５６４は、連続する４つのタイムスロットを示す。ダウンリンク信号Ｓ１１は、タイムスロット５６１とこれに連続するタイムスロット５６２に繰り返しマッピングされる。ダウンリンク信号Ｓ１２は、タイムスロット５６３とこれに連続するタイムスロット５６４に繰り返しマッピングされる。
【０１１８】
また、連続するタイムスロット５６１及び５６２にそれぞれマッピングされたダウンリンク信号Ｓ１１には、中継装置Ｒ１の固有の直交符号の第１ビット”１”及び第２ビット”１”がそれぞれ乗じられる。同様に連続するタイムスロット５６３及び５６４にそれぞれマッピングされたダウンリンク信号Ｓ１２には、直交符号の第１ビット”１”及び第２ビット”１”がそれぞれ乗じられる。
【０１１９】
図２１の（Ａ）に示すアップリンク信号が中継装置Ｒ１に受信されると、中継装置Ｒ１の乗算部９２は、受信したアップリンク信号に中継装置Ｒに固有の直交符号”１、１”を乗じる。直交符号が乗じられたアップリンク信号をバッファ４６及び加算器４７が合成すると、本来のアップリンク信号が再生される。
【０１２０】
図２１の（Ｂ）は、図２１の（Ａ）のアップリンク信号を中継する中継装置Ｒ１のカバーエリア外のアップリンク信号の例を示す。本来のアップリンク信号Ｓ１１及びＳ１２は、それぞれタイムスロット５６２及び５６４で送信される。タイムスロット５６１及び５６２は、中継装置Ｒ１の中継対象でない移動局装置に割り当てられている。
【０１２１】
図２１の（Ｃ）は、中継装置Ｒ２のカバーエリア内のアップリンク信号の例を示す。参照符号５７１〜５７４は、連続する４つのタイムスロットを示す。ダウンリンク信号Ｓ２１は、タイムスロット５７１とこれに連続するタイムスロット５７２に繰り返しマッピングされる。ダウンリンク信号Ｓ２２は、タイムスロット５７３とこれに連続するタイムスロット５７４に繰り返しマッピングされる。
【０１２２】
また、連続するタイムスロット５７１及び５７２にそれぞれマッピングされたダウンリンク信号Ｓ２１には、中継装置Ｒ２の固有の直交符号の第１ビット”１”及び第２ビット”−１”がそれぞれ乗じられる。その結果、タイムスロット５７２で伝送される信号−Ｓ２１は、タイムスロット５７１で伝送される信号Ｓ２１の符号を反転した信号となる。
【０１２３】
同様に連続するタイムスロット５７３及び５７４にそれぞれマッピングされたダウンリンク信号Ｓ２２には、直交符号の第１ビット”１”及び第２ビット”−１”がそれぞれ乗じられる。この結果、タイムスロット５７４で伝送される信号−Ｓ２２は、タイムスロット５７３で伝送される信号Ｓ２２の符号を反転した信号となる。
【０１２４】
図２１の（Ｃ）に示すアップリンク信号が中継装置Ｒ２に受信されると、中継装置Ｒ２の乗算部９２は、受信したアップリンク信号に中継装置Ｒに固有の直交符号”１、−１”を乗じる。直交符号が乗じられたアップリンク信号をバッファ４６及び加算器４７が合成すると、本来のアップリンク信号が再生される。
【０１２５】
図２１の（Ｄ）は、図２１の（Ｃ）のアップリンク信号を中継する中継装置Ｒ２のカバーエリア外のアップリンク信号の例を示す。本来のアップリンク信号Ｓ２１及びＳ２２は、それぞれタイムスロット５７２及び５７４で送信される。タイムスロット５７１及び５７２は、中継装置Ｒ１の中継対象でない移動局装置に割り当てられている。
【０１２６】
本実施例によれば、複数の中継装置Ｒ１及びＲ２が無線通信システム１に設けられている場合において、これらの中継装置Ｒ１及びＲ２がそれぞれ送受信する無線信号同士の干渉を低減することができる。
【０１２７】
図１８から図２１を参照して行った説明では、時分割多重接続方式を使用する無線通信システムにおける実施例を例示した。しかし、周波数分割多重接続方式を使用する無線通信システムにおいても、複数の周波数帯域に繰り返しマッピングされる信号に直交符号を乗じることにより、同様に中継装置間の干渉を低減することができる。また、時分割多重接続方式と周波数分割多重接続方式を併用する無線通信システムにおいても、複数のタイムスロット及び複数の周波数帯域に繰り返しマッピングされる信号に直交符号を乗じることにより、同様に中継装置間の干渉を低減することができる。
【０１２８】
続いて、複数の中継装置Ｒ１及びＲ２がそれぞれ送受信する無線信号同士の干渉を低減する他の実施例を説明する。本実施例では、複数の中継装置Ｒ１及びＲ２の各カバーエリアにおいて、各中継装置Ｒ１及びＲ２にそれぞれ固有の位相回転を用いてインターリーブド周波数分割多元接続（ＩＦＤＭＡ：Interleaved Frequency Division. Multiple Access）変調処理を行う。インターリーブド周波数分割多元接続変調処理によって、各中継装置Ｒ１及びＲ２のカバーエリア内の信号が周波数軸上で相互に重なり合わないように配置されるため、複数の中継装置間の干渉が低減される。
【０１２９】
図２２は、図１７に示す中継装置Ｒの第２構成例を示す図である。参照符号１００は位相回転情報生成部を示し、参照符号１０１はＩＦＤＭＡ変調部を示し、参照符号１０２はＩＦＤＭＡ復調部を示す。中継装置Ｒは、位相回転情報生成部１００と、ＩＦＤＭＡ変調部１０１と、ＩＦＤＭＡ復調部１０２を備える。図１２に示す中継装置Ｒが備える構成要素と同様の構成要素には、同じ参照符号を付する。
【０１３０】
バッファ４４及びスイッチ４５は、ダウンリンク信号のＩ、Ｑ複素成分を複数のタイムスロット中に繰り返し発生させる。説明の簡単のため、Ｉ、Ｑ複素成分を「シンボル」と記載することがある。位相回転情報生成部１００は、複数の各タイムスロットＴ１、Ｔ２、Ｔ３、Ｔ４…にそれぞれ繰り返し発生するシンボルｓ１、ｓ２、ｓ３、ｓ４…へそれぞれ乗じる位相回転量θ１、θ２、θ３、θ４…をそれぞれ生成する。
【０１３１】
位相回転量θ１、θ２…のステップ幅（θ２−θ１）＝（θ３−θ２）＝（θ４−θ３）…は、中継装置Ｒに応じてそれぞれ異なる固有のステップ幅が定められている。本例では、バッファ４４及びスイッチ４５が、同一のシンボルを４つのタイムスロットに繰り返し発生させる。このとき、中継装置Ｒ１の位相回転情報生成部１００は、例えばステップ幅（π／２）で変化する位相回転量（０、π／２、π、３π／２）を生成してよい。また中継装置Ｒ２の位相回転情報生成部１００は、例えばステップ幅πで変化する位相回転量（０、π、０、π）を生成してよい。
【０１３２】
ＩＦＤＭＡ変調部１０１は、繰り返しシンボルｓ１、ｓ２、ｓ３、ｓ４…に、位相回転量θ１、θ２、θ３、θ４…による位相回転を施すことにより、中継装置Ｒのカバーエリア内のダウンリンク信号にＩＦＤＭＡ変調処理を施す。中継装置Ｒに応じてそれぞれ異なる固有の位相回転量によってＩＦＤＭＡ変調処理を施すことにより、異なる中継装置Ｒの周波数スペクトルは周波数軸上で直交することになり、中継装置Ｒ間の干渉が低減される。
【０１３３】
後述するように、中継装置によって中継されている移動局装置ＭＳは、アップリンク信号のシンボルｓ１、ｓ２、ｓ３、ｓ４…を複数のタイムスロット中に繰り返し発生させる。移動局装置ＭＳは、この移動局装置ＭＳを中継している中継装置Ｒに固有の位相回転量によって、アップリンク信号にＩＦＤＭＡ変調処理を施す。
【０１３４】
中継装置ＲのＩＦＤＭＡ復調部１０２は、アップリンク信号に含まれる繰り返しシンボルｓ１、ｓ２、ｓ３、ｓ４…へ、固有の位相回転量θ１、θ２、θ３、θ４…による位相回転を施すことにより、アップリンク信号にＩＦＤＭＡ復調処理を施す。バッファ４６及び加算器４７は、複数のタイムスロット中に繰り返し発生するシンボルｓ１、ｓ２、ｓ３、ｓ４…を合成する。
【０１３５】
図２３は、図１７に示す移動局装置ＭＳの第２構成例を示す図である。参照符号１０３は位相回転量検出部を示し、参照符号１０４はＩＦＤＭＡ復調部を示し、参照符号１０５はＩＦＤＭＡ変調部を示す。移動局装置ＭＳは、位相回転量検出部１０３と、ＩＦＤＭＡ復調部１０４と、ＩＦＤＭＡ変調部１０５を備える。図１３に示す移動局装置ＭＳが備える構成要素と同様の構成要素には、同じ参照符号を付する。なお実際の構成においては、アンテナ共用器２１とＩＦＤＭＡ復調部１０４との間にアナログディジタル変換器が設けられ、ＩＦＤＭＡ変調部１０５とアンテナ共用器２１との間にディジタルアナログ変換器が設けられるが、説明の簡略のため図示及び説明を省略する。
【０１３６】
位相回転量検出部１０３は、ＩＦＤＭＡ変調された受信信号を変調する際に使用された位相回転量θ１、θ２、θ３、θ４…を検出する。例えば、位相回転量検出部１０３は、中継装置Ｒに割り当てられることが予想される複数の位相回転量によって受信信号に含まれるシンボルにＩＦＤＭＡ復調を施して、所定の閾値を超える信号強度が検出されたときの位相回転量を、変調に使用された位相回転量として検出してよい。
【０１３７】
ＩＦＤＭＡ復調部１０４は、受信信号に含まれる繰り返しシンボルｓ１、ｓ２、ｓ３、ｓ４…へ、検出された位相回転量θ１、θ２、θ３、θ４…による位相回転を施すことにより、ダウンリンク信号にＩＦＤＭＡ復調処理を施す。バッファ５０及び加算器５１は、複数のタイムスロット中に繰り返し発生するシンボルｓ１、ｓ２、ｓ３、ｓ４…を合成する。
【０１３８】
バッファ５３及びスイッチ５４は、アップリンク信号に含まれるシンボルを複数のタイムスロットに繰り返し発生させる。ＩＦＤＭＡ変調部１０５は、複数のタイムスロットに繰り返し発生するシンボルｓ１、ｓ２、ｓ３、ｓ４…に、位相回転量検出部１０３が検出した位相回転量θ１、θ２、θ３、θ４…による位相回転を施すことにより、アップリンク信号にＩＦＤＭＡ変調処理を施す。ＩＦＤＭＡ変調処理が施されたアップリンク信号は、アンテナ２０から中継装置Ｒへ送信される。
【０１３９】
本実施例によれば、複数の中継装置Ｒ１及びＲ２が無線通信システム１に設けられている場合において、これらの中継装置Ｒ１及びＲ２がそれぞれ送受信する無線信号同士の干渉を低減することができる。
【０１４０】
次に、基地局装置ＢＳにおけるスケジューリング方法の一例について説明する。図２４は、無線通信システム１における第３実施例の構成図である。図１に示す無線通信システム１が備える構成要素と同様の構成要素には、同じ参照符号を付する。本例では移動局装置ＭＳ３が中継装置Ｒによって中継される一方で、移動局装置ＭＳ１及び移動局装置ＭＳ２は基地局装置ＢＳと直接通信を行っている場合を想定する。
【０１４１】
さらに、基地局装置ＢＳのカバーエリアと中継装置Ｒのカバーエリアとが分離されていない場合を想定する。例えば、基地局装置ＢＳから送信される無線信号も中継装置Ｒから送信される無線信号も移動局装置ＭＳ２に到達し、移動局装置ＭＳ２から送信される無線信号は、基地局装置ＢＳにも移動局装置ＭＳ２にも到達する。
【０１４２】
本実施例では、基地局装置ＢＳのカバーエリアと中継装置Ｒのカバーエリアとの間の干渉を低減する。基地局装置ＢＳは、無線リソースのスケジューリングの際に、中継装置Ｒのカバーエリア内で移動局装置ＭＳ３が使用する複数の無線リソース以外の無線リソースを、中継装置Ｒによって中継されない移動局装置ＭＳ１及びＭＳ２との無線通信のために割り当てる。
【０１４３】
図２５は、図２４に示す中継装置Ｒの構成例を示す図である。参照符号１１０は指示情報付加部を示す。中継装置Ｒは指示情報付加部１１０を備える。図１２に示す中継装置Ｒが備える構成要素と同様の構成要素には、同じ参照符号を付する。指示情報付加部１１０は、アンテナ１７から送信されるダウンリンク信号に、このダウンリンク信号が中継装置Ｒによって中継されたことを指示する情報を付加する。中継装置Ｒによって中継されたことを指示するために無線信号に付加される情報を「指示情報」と表記する。
【０１４４】
図２６は、図２４に示す移動局装置ＭＳの構成例を示す図である。参照符号１１１は中継判定部を示し、参照符号１１２は中継通知信号生成部を示す。移動局装置ＭＳは、中継判定部１１１と、中継通知信号生成部１１２を備える。図１３に示す移動局装置ＭＳが備える構成要素と同様の構成要素には、同じ参照符号を付する。なお実際の構成においては、アンテナ共用器２１とバッファ５０との間にアナログディジタル変換器が設けられ、スイッチ５４とアンテナ共用器２１との間にディジタルアナログ変換器が設けられるが、説明の簡略のため図示及び説明を省略する。
【０１４５】
中継判定部１１１は、受信したダウンリンク信号から指示情報を検出することにより、受信信号が中継装置Ｒにより中継されたか否かを判定する。中継判定部１１１は、判定の結果を示す判定結果信号を出力する。中継通知信号生成部１１２は、判定結果信号に従って、移動局装置ＭＳが中継装置Ｒにより中継されたことを示す中継通知信号を生成する。送信処理部２８は、中継通知信号を基地局装置ＢＳへ送信する。
【０１４６】
図２７は、図２４に示す基地局装置ＢＳの第１構成例を示す図である。参照符号３６は中継通知信号検出部を示す。基地局装置ＢＳは中継通知信号検出部３６を備える。図１０に示す基地局装置ＢＳが備える構成要素と同様の構成要素には、同じ参照符号を付する。中継通知信号検出部３６は、移動局装置ＭＳから送信された受信信号から中継通知信号を検出する。
【０１４７】
端末情報記憶部３４には、中継通知信号の検出結果に基づいて、基地局装置ＢＳに現在接続されている全ての移動局装置ＭＳのそれぞれについて、各移動局装置ＭＳが中継装置Ｒによって中継されているか否かが記憶される。スケジューラ３３は、中継装置Ｒのカバーエリア内で移動局装置ＭＳ３が使用する複数の無線リソースと、中継装置Ｒによって中継されない移動局装置ＭＳ１及びＭＳ２との無線通信のために割り当てる無線リソースとが重複しないように、無線リソースのスケジューリング処理を実行する。
【０１４８】
図２８の（Ａ）〜図２８の（Ｃ）は、基地局装置ＢＳにより無線リソースの割り当てがされたダウンリンク信号の第４例の説明図である。図２８の（Ａ）は、基地局装置ＢＳから送信されるダウンリンク信号を示す。参照符号５８１〜５８８は、連続する８つのタイムスロットを示す。タイムスロット５８１及び５８５は、中継装置Ｒの中継対象の移動局装置ＭＳ３宛のダウンリンク信号Ｓ１及びＳ２に割り当てられている。また、タイムスロット５８３、５８４、５８７及び５８８は、中継装置Ｒの中継対象でない移動局装置に割り当てられている。
【０１４９】
図２８の（Ｂ）は、中継装置Ｒのカバーエリア内のダウンリンク信号の例を示す。ダウンリンク信号Ｓ１は、タイムスロット５８１とこれに連続するタイムスロット５８２に繰り返しマッピングされる。ダウンリンク信号Ｓ２は、タイムスロット５８５とこれに連続するタイムスロット５８６に繰り返しマッピングされる。
【０１５０】
図２８の（Ａ）及び図２８の（Ｂ）に示すように、中継装置Ｒのカバーエリア内でダウンリンク信号がマッピングされるタイムスロット５８１、５８２、５８５及び５８６は、中継装置Ｒの中継対象でない移動局装置に割り当てられない。図２８の（Ｃ）に示す移動局装置ＭＳ２に到達するダウンリンク信号の例を示す。図２８の（Ｃ）に示すように、移動局装置ＭＳ２には、図２８の（Ａ）の信号と図２８の（Ｂ）が混合した信号が到来する。しかし、中継装置Ｒのカバーエリア内の信号が使用するタイムスロット５８１、５８２、５８５及び５８６と、基地局装置ＢＳから直接到達する信号のタイムスロット５８３、５８４、５８７及び５８８とが異なるため、これらの信号間の干渉が低減される。
【０１５１】
図２９の（Ａ）〜図２９の（Ｃ）は、基地局装置ＢＳにより無線リソースの割り当てがされたアップリンク信号の第４例の説明図である。図２９の（Ａ）は、中継装置Ｒのカバーエリア内のアップリンク信号の例を示す。参照符号５９１〜５９８は、連続する８つのタイムスロットを示す。アップリンク信号Ｓ１は、タイムスロット５９１とこれに連続するタイムスロット５９２に繰り返しマッピングされる。アップリンク信号Ｓ２は、タイムスロット５９６とこれに連続するタイムスロット５９７に繰り返しマッピングされる。
【０１５２】
図２９の（Ｂ）は、中継装置Ｒから送信されるアップリンク信号である。タイムスロット５９１及び５９２にて受信した信号を合成したアップリンク信号Ｓ１は、タイムスロット５９２において送信される。タイムスロット５９６及び５９７にて受信した信号を合成したアップリンク信号Ｓ１は、タイムスロット５９７において送信される。
【０１５３】
図２９の（Ｃ）は、基地局装置ＢＳにて受信されるアップリンク信号である。基地局装置ＢＳには、中継装置Ｒのカバーエリア内のアップリンク信号（図２９の（Ａ））と、中継装置Ｒの中継対象外の移動局装置から送信されるアップリンク信号とが混合した信号が到来する。中継装置Ｒの中継対象外の移動局装置には、タイムスロット５９１、５９４、５９５及び５９８が割り当てられている。
【０１５４】
しかし、中継装置Ｒのカバーエリア内の信号が使用するタイムスロット５９２、５９３、５９６及び５９７は、中継装置Ｒの中継対象外の移動局装置から基地局装置ＢＳへ直接到達する信号のタイムスロット５９１、５９４、５９５及び５９８と異なる。このため、中継装置Ｒのカバーエリア内の信号と、中継装置Ｒの中継対象外の移動局装置から基地局装置ＢＳへ直接到達する信号との間の干渉が低減される。
【０１５５】
本実施例によれば、基地局装置ＢＳのカバーエリアと中継装置Ｒのカバーエリアとが分離されていない場合に、基地局装置ＢＳのカバーエリアと中継装置Ｒのカバーエリアとの間の干渉が低減される。
【０１５６】
続いて、図２５に示す指示情報付加部１１０の実施例について説明する。指示情報付加部１１０は、例えば、中継対象信号に所定のパターンを多重化することによって、指示情報を中継対象信号に付加してよい。指示情報付加部１１０は、例えば、中継対象信号の主信号に与える影響が少ない周波数帯域に所定のパターンを多重化してよい。また指示情報付加部１１０は、例えば、所定のパターンをコード拡散して多重化してもよい。このとき、図２６に示す中継判定部１１１は、受信信号に付加された所定のパターンを検出することにより、指示情報を検出する。
【０１５７】
また、指示情報付加部１１０は、中継対象信号の周波数の符号を反転することにより、すなわち、受信信号のスペクトラムを反転することにより、中継対象信号に指示情報を付加してよい。図３０は、指示情報付加部１１０の構成例を示す図である。参照符号４１は、図２５に示す高出力アンプを示し、参照符号１２０及び１２３は局部発振器を示し、参照符号１２１及び１２４は乗算器を示し、参照符号１２２及び１２５は帯域通過フィルタを示す。
【０１５８】
中継装置Ｒが受信した中継対象信号の搬送波の周波数を「ｆｃ」と表記する。指示情報付加部１１０は、中継対象信号の搬送波の周波数ｆｃと同じ高さの符号が異なる周波数成分「−ｆｃ」を含んだ信号へ中継対象信号を変換する周波数変換部と、周波数変換部の出力信号から周波数ｆｃの周波数成分を取り出す帯域制限フィルタを備えてよい。図３０に示す構成例では、指示情報付加部１１０は、局部発振器１２０及び乗算器１２１を含む第１のミクサと、局部発振器１２３及び乗算器１２４を含む第２のミクサを周波数変換部として含む。なお、図３０に示す構成は、周波数変換部の構成の例示であり、指示情報付加部１１０の態様を、以下の説明の態様に限定することを意図するものではない。周波数変換部は様々な構成によって実現することが可能である。
【０１５９】
高出力増幅部４１により増幅する中間周波数信号の周波数を「ｆｉ」と表記する。局部発振器１２０は、周波数「ｆｃ＋ｆｉ」の局発信号を発生させる。乗算器１２１は、局部発振器１２０から出力される局発信号を、周波数ｆｃの受信信号に乗算することにより、周波数「−ｆｉ」の成分及び周波数「２ｆｃ＋ｆｉ」の成分を含む信号へ、中継対象信号を変換する。
【０１６０】
帯域通過フィルタ１２２の通過周波数帯域は中間周波数「ｆｉ」であり、帯域通過フィルタ１２２は、乗算器１２１の出力信号から周波数「−ｆｉ」の中間周波数信号を取り出す。高出力増幅部４１は、中間周波数信号を増幅し乗算器１２４へ入力する。
【０１６１】
局部発振器１２３は、周波数「ｆｃ−ｆｉ」の局発信号を発生させる。乗算器１２４は、局部発振器１２３から出力される局発信号を、周波数「−ｆｉ」の中間周波数信号に乗算することにより、周波数「−ｆｃ」の成分及び周波数「ｆｃ−２ｆｉ」の成分を含む信号へ、中間周波数信号を変換する。
【０１６２】
帯域通過フィルタ１２５の通過周波数帯域は搬送波の周波数「ｆｃ」であり、帯域通過フィルタ１２５は、乗算器１２４の出力信号から、周波数「−ｆｃ」の搬送波信号を取り出す。このようにして指示情報付加部１１０は、受信信号の周波数の符号を反転する。
【０１６３】
図３１は、中継判定部１１１の第１構成例を示す図である。中継判定部１１１は、図３０に示す指示情報付加部１１０によって受信信号の周波数の符号が反転されたか否かを判定することにより、受信信号が中継装置Ｒにより中継されたか否かを判定する。参照符号１３０は直交検波部を示し、参照符号１３１及び１３２はパターン検出部を示し、参照符号１３３は符号判定部を示し、参照符号１３４は回転方向訂正部を示す。中継判定部１１１は、直交検波部１３０と、パターン検出部１３１及び１３２と、符号判定部１３３と、回転方向訂正部１３４を備える。
【０１６４】
直交検波部１３０は、受信信号に直交検波処理を施し、同相成分信号（Ｉ成分信号）及び直交成分信号（Ｑ成分信号）を生成する。パターン検出部１３１は、受信信号に含まれていることが既知である所定パターンと、直交検波部１３０から出力される同相成分信号及び直交成分信号に対応する信号点のシンボルのパターンとの間の相関を算出する。パターン検出部１３１は、例えば、このような既知のパターンとしてパイロット信号やリファレンス信号を使用してよい。
【０１６５】
一方でパターン検出部１３２は、直交検波部１３０が出力した同相成分信号及び直交成分信号の位相の回転方向を反転させた信号に対応するシンボルのパターンと、上記の所定パターンとの間の相関を算出する。
【０１６６】
符号判定部１３３は、パターン検出部１３１及び１３２により算出される相関に基づいて、無線通信装置Ｘにより受信された受信信号の搬送波の周波数の符号が反転しているか否か、すなわち、受信信号が中継装置によって中継されたか否かを判定する。
【０１６７】
パターン検出部１３１により計算された相関が、パターン検出部１３２により計算された相関よりも高いとき、符号判定部１３３は、受信信号の搬送波の周波数の符号が反転していないと判定する。パターン検出部１３１により計算された相関が、パターン検出部１３２により計算された相関よりも低いとき、符号判定部５３は、受信信号の搬送波の周波数の符号が反転していると判定する。符号判定部１３３は、受信信号が中継装置によって中継されたか否かを示す判定結果信号を出力する。
【０１６８】
回転方向訂正部１３４は、符号判定部１３３による判定結果に従って、直交検波部１３０が出力した同相成分信号及び直交成分信号の位相の回転方向を訂正する。受信信号の搬送波の周波数の符号が反転していないとき、回転方向訂正部１３４は、直交検波部１３０が出力した同相成分信号及び直交成分信号を、そのまま後段の受信処理部２６へ出力する。
【０１６９】
受信信号の搬送波の周波数の符号が反転しているとき、回転方向訂正部１３４は、直交検波部１３０が出力した同相成分信号及び直交成分信号の位相の回転方向を反転させて、後段の受信処理部２６へ出力する。回転方向訂正部１３４は、例えば、入力した同相成分信号及び直交成分信号の同相成分と直交成分とを入れ替えることにより、同相成分信号及び直交成分信号の位相の回転方向を反転させてよい。また回転方向訂正部１３４は、例えば入力した同相成分信号及び直交成分信号のいずれか一方の値を反転させることにより、同相成分信号及び直交成分信号の位相の回転方向を反転させてよい。
【０１７０】
本実施例によれば、中継対象信号の搬送波の周波数の符号を反転させるか否かによって、中継装置によって中継されたことを指示する情報を、中継対象の信号に付加することが可能となる。搬送波の周波数の符号を反転しても無線信号の無線リソースは消費されない。
【０１７１】
図２５〜図２７を参照して説明した構成例では、中継装置Ｒの指示情報付加部１１０は、ダウンリンク信号に指示情報を付加した。これに代えて、中継装置Ｒの指示情報付加部１１０は、アップリンク信号に指示情報を付加してもよい。基地局装置ＢＳは、各移動局装置ＭＳから送信されるアップリンク信号に指示情報が付加されるか否かに応じて、各移動局装置ＭＳが中継装置Ｒによって中継されるか否かを判定してもよい。
【０１７２】
図３２は、図２４に示す基地局装置ＢＳの第２構成例を示す図である。参照符号３７は中継判定部３７を示す。基地局装置ＢＳは中継判定部３７を備える。図１０に示す基地局装置ＢＳが備える構成要素と同様の構成要素には、同じ参照符号を付する。中継判定部３７は、移動局装置ＭＳから受信したアップリンク信号から指示情報を検出することにより、各移動局装置ＭＳが中継装置Ｒによって中継されているか否かが記憶される。中継判定部３７の構成は、上述した中継判定部１１１と同様の構成であってよい。
【０１７３】
中継判定部３７による判定結果は、端末情報記憶部３４に記憶される。スケジューラ３３は、中継装置Ｒのカバーエリア内で移動局装置ＭＳ３が使用する複数の無線リソースと、中継装置Ｒによって中継されない移動局装置ＭＳ１及びＭＳ２との無線通信のために割り当てる無線リソースとが重複しないように、無線リソースのスケジューリング処理を実行する。
【０１７４】
本実施例によれば、アップリンク信号に指示情報を付加することにより、基地局装置ＢＳにおいて各移動局装置ＭＳが中継装置Ｒによって中継されているか否かを判定することが可能になる。基地局装置ＢＳは、この判定結果に基づいて、基地局装置ＢＳのカバーエリアと中継装置Ｒのカバーエリアとの間の干渉が低減されるように、各移動局装置ＭＳへの無線リソースの割り当てを決定することができる。
【０１７５】
なお、図２４から図３２を参照して行った説明では、時分割多重接続方式を使用する無線通信システムにおける実施例を例示した。しかし、周波数分割多重接続方式を使用する無線通信システムにおいても、同様の手法によって、中継装置のカバーエリア内で使用される複数の無線リソース以外の無線リソースを、中継装置によって中継されない移動局装置の無線通信のために割り当ててよい。
【０１７６】
続いて、図２６に示す構成を有する移動局装置ＭＳにおいて、受信信号が中継装置Ｒにより中継されたか否かを判定する他の実施例を説明する。図３３は、中継判定部１１１の第２構成例を示す図である。中継判定部１１１は、複数の無線リソース上で伝送された信号同士の相関を算出する。中継判定部１１１は、複数のタイムスロットで伝送された信号同士の相関を算出してもよいし、複数の周波数帯域上で伝送された信号同士の相関を検出してもよい。
【０１７７】
中継装置Ｒが、中継装置Ｒのカバーエリア内で複数の無線リソース上において同一の信号を繰り返し送信されているとき、繰り返して送信される信号同士の相関を計算すると相関値は大きくなる。例えば中継判定部１１１は、複数の無線リソース上において繰り返し送信されるパイロット信号同士の相関を算出してよい。算出された相関が所定の閾値以上の場合には、受信信号が中継装置Ｒにより中継されたと判定する。算出された相関が所定の閾値よりも小さい場合には、受信信号が基地局装置ＢＳから直接到達したと判定する。
【０１７８】
参照符号１４０はバッファを示し、参照符号１４１は相関検出部を示し、参照符号１４２は比較部を示す。中継判定部１１１は、バッファ１４０と、相関検出部１４１と、比較部１４２を備える。
【０１７９】
バッファ１４０は、あるタイムスロットにて送信されるパイロット信号を記憶する。相関検出部１４１は、他のタイムスロットにて送信されるパイロット信号と、バッファ１４０に記憶されたパイロット信号との相関を算出する。比較部１４２は、算出された相関値が所定の閾値以上であるか否かに応じて、受信信号が中継装置Ｒにより中継されたか否かを判定する。比較部１４２は、判定の結果を示す判定結果信号を出力する。
【０１８０】
図３３に示す構成は、時分割多元接続方式を採用する通信システムにおいて使用される実施例である。周波数分割多元接続方式を採用する通信システムにおいては、相関検出部１４１は、異なる周波数帯域上で送信されるパイロット信号同士の相関を検出してよい。
【０１８１】
本実施例によっても、移動局装置ＭＳにおいて受信信号が中継装置によって中継されたか否かを判定することができる。
【０１８２】
次に、移動局装置ＭＳが、基地局装置ＢＳのカバーエリアから中継装置Ｒのカバーエリアへ移動する場合、移動局装置ＭＳが、中継装置Ｒのカバーエリアから基地局装置ＢＳのカバーエリアへ移動する場合における、基地局装置ＢＳの動作について説明する。
【０１８３】
図３４は、無線通信システムにおける第４実施例の構成図である。図１に示す無線通信システム１が備える構成要素と同様の構成要素には、同じ参照符号を付する。また、基地局装置ＢＳの構成は、図２７又は図３２に示す構成と同様であってよい。いま、移動局装置ＭＳ１が、基地局装置ＢＳのカバーエリアから中継装置Ｒのカバーエリアへ移動する場合、又は移動局装置ＭＳ１が、中継装置Ｒのカバーエリアから基地局装置ＢＳのカバーエリアへ移動する場合を想定する。
【０１８４】
図３５は、図３４に示す基地局装置ＢＳによるスケジューリング処理の説明図である。別な実施の態様においては、下記のオペレーションＣＡ〜ＣＦの各オペレーションはステップであってもよい。
【０１８５】
オペレーションＣＡにおいて基地局装置ＢＳの中継通知信号検出部３６又は中継判定部３７は、移動局装置ＭＳ１が中継装置Ｒによって中継されているか否かを判定する。移動局装置ＭＳ１が中継装置Ｒによって中継されているか否かの判定は、図２４から図３３を参照して説明した方法と同様に行ってよい。移動局装置ＭＳ１が中継装置Ｒによって中継されている場合（オペレーションＣＡ：Ｙ）、処理はオペレーションＣＢへ移行する。移動局装置ＭＳ１が中継装置Ｒによって中継されていない場合（オペレーションＣＡ：Ｎ）、処理はオペレーションＣＥへ移行する。
【０１８６】
オペレーションＣＢにおいてスケジューラ３３は、基地局装置ＢＳと移動局装置ＭＳ１との間の無線通信に使用する無線リソースを決定する。オペレーションＣＣにおいてスケジューラ３３は、中継装置Ｒのカバーエリア内において移動局装置ＭＳ１へ送信又は移動局装置ＭＳ１から受信される中継対象信号が繰り返しマッピングされる複数の無線リソースを決定する。
【０１８７】
オペレーションＣＤにおいて無線通信部３２は、オペレーションＣＢで定めた無線リソースを指定するスケジューリング情報と、オペレーションＣＣで決定した無線リソースを指定する無線リソース情報を、移動局装置ＭＳ１及び中継装置Ｒへ送信する。なお、オペレーションＣＢで決定される無線リソースと、オペレーションＣＣにおいて決定される無線リソースとの関係が予め定められている場合には、オペレーションＣＢで定めた無線リソースに関するスケジューリング情報は送信されなくともよい。オペレーションＣＤの後、処理は終了する。
【０１８８】
オペレーションＣＥにおいてスケジューラ３３は、基地局装置ＢＳと移動局装置ＭＳ１との間の無線通信に使用する無線リソースを決定する。例えばスケジューラ３３は、中継装置Ｒによって中継される他の移動局装置が中継装置Ｒのカバーエリア内で使用する無線リソースと異なる無線リソースを移動局装置ＭＳ１に割り当ててよい。
【０１８９】
オペレーションＣＦにおいて無線通信部３２は、オペレーションＣＥで定めた無線リソースを指定するスケジューリング情報を移動局装置ＭＳ１に送信する。
【０１９０】
以上の実施例を含む実施形態に関し、更に以下の付記を開示する。
【０１９１】
（付記１）
予め設定された複数の無線リソースに同一の第１中継対象信号が繰り返しマッピングされた無線信号を受信し、
繰り返しマッピングされた同一の前記第１中継対象信号同士を合成し、
合成された前記第１中継対象信号を送信する無線信号の中継方法。
【０１９２】
（付記２）
前記複数の無線リソースのうち、前記合成された第１中継対象信号が送信される無線リソース以外の無線リソースによる信号出力を停止する付記１に記載の中継方法。
【０１９３】
（付記３）
第２中継対象信号である無線信号を受信し、
予め設定された複数の無線リソースへ同一の前記第２中継対象信号を繰り返しマッピングし、
複数の無線リソースへマッピングされた前記第２中継対象信号を送信する付記１又は２に記載の中継方法。
【０１９４】
（付記４）
無線信号を受信する第１受信部と、
前記第１受信部にて受信した、予め設定された複数の無線リソースに繰り返しマッピングされた同一の第１中継対象信号同士を合成する合成部と、
合成された前記第１中継対象信号を送信する第１送信部と、
を備える中継装置。
【０１９５】
（付記５）
前記複数の無線リソースのうち、前記合成された第１中継対象信号が送信される無線リソース以外の無線リソースによる前記第１送信部からの信号出力を停止する停止部を備える付記４に記載の中継装置。
【０１９６】
（付記６）
第２中継対象信号である無線信号を受信する第２受信部と、
予め設定された複数の無線リソースへ同一の前記第２中継対象信号を繰り返しマッピングする第１マッピング部と、
複数の無線リソースへマッピングされた前記第２中継対象信号を送信する第２送信部と、
を備える付記４又は５に記載の中継装置。
【０１９７】
（付記７）
前記複数の無線リソースにマッピングされた無線信号のそれぞれに対して、前記中継装置に固有の直交符号の各ビットをそれぞれ乗じることにより、前記第１中継対象信号を検出する中継対象信号検出部を備える付記４又は５に記載の中継装置。
【０１９８】
（付記８）
前記複数の無線リソースへ繰り返しマッピングされる前記第２中継対象信号のそれぞれに対して、前記中継装置に固有の直交符号の各ビットをそれぞれ乗じる直交符号乗算部を備える付記６に記載の中継装置。
【０１９９】
（付記９）
同一の前記第１中継対象信号が繰り返しマッピングされる前記複数の無線リソースは、複数のタイムスロットであり、
前記中継装置は、前記複数のタイムスロットにマッピングされた無線信号のそれぞれに対して前記中継装置に固有の位相回転を乗算する、インターリーブド周波数分割多元接続（ＩＦＤＭＡ）復調処理を行うことにより、前記第１中継対象信号を検出するインターリーブド周波数分割多元接続復調部を備える付記４又は５に記載の中継装置。
【０２００】
（付記１０）
前記第１マッピング部は、前記複数の無線リソースとしての複数のタイムスロットへ同一の前記第２中継対象信号を繰り返しマッピングし、
前記中継装置は、前記複数のタイムスロットに繰り返してマッピングされる前記第２中継対象信号のそれぞれに対して前記中継装置に固有の位相回転を乗算する、インターリーブド周波数分割多元接続変調処理を行うインターリーブド周波数分割多元接続変調部を備える付記６に記載の中継装置。
【０２０１】
（付記１１）
前記第１送信部及び前記第２送信部の少なくともいずれかから送信される無線信号の周波数の符号を反転する反転部を備える付記６〜１０のいずれか一項に記載の中継装置。
【０２０２】
（付記１２）
付記４又は５に記載の中継装置によって送信信号が中継される無線通信装置であって、
予め設定された複数の無線リソースへ同一の送信信号を繰り返しマッピングする第２マッピング部と、
複数の無線リソースへマッピングされた前記送信信号を送信する第３送信部と、を備える無線通信装置。
【０２０３】
（付記１３）
付記６に記載の中継装置によって中継された無線信号を受信する無線通信装置であって、
無線信号を受信する第３受信部と、
前記第３受信部にて受信した、予め設定された複数の無線リソースに繰り返しマッピングされた同一の前記第２中継対象信号同士を合成する合成部と、
を備える無線通信装置。
【０２０４】
（付記１４）
付記１３に記載の無線通信装置としての移動局装置であって、
前記第３受信部により受信された無線信号が前記中継装置によって中継されたか否かを判定する判定部と、
前記判定部による判定結果を前記移動局装置が接続する基地局装置へ通知する判定結果通知部と、
を備える移動局装置。
【０２０５】
（付記１５）
付記４〜１１のいずれか一項に記載の中継装置によって、移動局装置との間の無線通信が中継される基地局装置であって、
前記移動局装置と前記基地局装置との間で送信される無線信号がマッピングされる無線リソースの割り当てと、前記中継装置と前記移動局装置との間で送信される無線信号が繰り返しマッピングされる前記複数の無線リソースの割り当てと、を決定するスケジューラと、
決定された前記複数の無線リソースの割り当てを前記中継装置と前記移動局装置とに通知する無線リソース通知部と、を備え、
前記スケジューラは、同一の前記第１中継対象信号又は同一の前記第２中継対象信号が繰り返し割り当てられる前記複数の無線リソースが時間的に又は周波数空間上において連続するように、同一の前記中継装置によってそれぞれ中継される複数の移動局装置へ割り当てる無線リソースを決定する、基地局装置。
【０２０６】
（付記１６）
付記４〜１１のいずれか一項に記載の中継装置によって、移動局装置との間の無線通信が中継される基地局装置であって、
前記移動局装置と前記基地局装置との間で送信される無線信号がマッピングされる無線リソースの割り当てと、前記中継装置と前記移動局装置との間で送信される無線信号が繰り返しマッピングされる前記複数の無線リソースの割り当てと、を決定するスケジューラと、
前記移動局装置と前記基地局装置との間で送信される無線信号が前記中継装置によって中継されるか否かを判定する判定部と、
決定された前記複数の無線リソースの割り当てを前記中継装置と前記移動局装置とに通知する無線リソース通知部と、を備え、
前記スケジューラは、前記中継装置によって中継されない移動局装置との間の無線通信のために、前記複数の無線リソース以外の無線リソースを割り当てる基地局装置。
【０２０７】
（付記１７）
付記４〜１０のいずれか一項に記載の中継装置によって、移動局装置との間の無線通信が中継される基地局装置であって、
前記移動局装置と前記基地局装置との間で送信される無線信号が前記中継装置によって中継されるか否かを判定する第１判定部を備える基地局装置。
【０２０８】
（付記１８）
前記中継装置は、前記第１送信部から前記基地局装置へ送信される無線信号の周波数の符号を反転する反転部を備え、
前記第１判定部は、受信した無線信号の周波数の符号の向きに応じて、前記移動局装置から送信された無線信号が前記中継装置によって中継されたか否かを判定する付記１７に記載の基地局装置。
【０２０９】
（付記１９）
前記移動局装置は、受信信号が前記中継装置によって中継されたか否かを判定する第２判定部と、前記第２判定部による判定結果を前記基地局装置へ通知する判定結果通知部と、を備え、
前記中継装置は、前記第２送信部から前記移動局装置へ送信される無線信号の周波数の符号を反転する反転部を備え、
前記第２判定部は、受信信号の周波数の符号の向きに応じて、前記基地局装置から送信された無線信号が前記中継装置によって中継されたか否かを判定し、
前記第１判定部は、前記移動局装置から通知された前記判定結果に応じて、前記移動局装置と前記基地局装置との間で送信される無線信号が前記中継装置によって中継されるか否かを判定する付記１７に記載の基地局装置。
【０２１０】
（付記２０）
前記移動局装置は、受信信号が前記中継装置によって中継されたか否かを判定する第２判定部と、前記第２判定部による判定結果を前記基地局装置へ通知する判定結果通知部と、を備え、
前記第２判定部は、受信信号の複数の無線リソースに繰り返しマッピングされた信号同士の相関の大きさに応じて、前記基地局装置から送信された無線信号が前記中継装置によって中継されたか否かを判定し、
前記第１判定部は、前記移動局装置から通知された前記判定結果に応じて、前記移動局装置と前記基地局装置との間で送信される無線信号が前記中継装置によって中継されるか否かを判定する付記１７に記載の基地局装置。
【符号の説明】
【０２１１】
１    無線通信システム
１０、１７    アンテナ
１１、１６    アンテナ共用器
１２    無線リソース情報受信部
１３    無線リソース情報記憶部
１４    同期検出部
１５    マッピング部
１８    合成部
ＢＳ    基地局装置
ＭＳ１〜ＭＳ３    移動局装置
Ｒ    中継装置
【図１】
2011055213.tif 000003
【図２】
2011055213.tif 000004
【図３】
2011055213.tif 000005
【図４】
2011055213.tif 000006
【図５】
2011055213.tif 000007
【図６】
2011055213.tif 000008
【図７】
2011055213.tif 000009
【図８】
2011055213.tif 000010
【図９】
2011055213.tif 000011
【図１０】
2011055213.tif 000012
【図１１】
2011055213.tif 000013
【図１２】
2011055213.tif 000014
【図１３】
2011055213.tif 000015
【図１４】
2011055213.tif 000016
【図１５】
2011055213.tif 000017
【図１６】
2011055213.tif 000018
【図１７】
2011055213.tif 000019
【図１８】
2011055213.tif 000020
【図１９】
2011055213.tif 000021
【図２０】
2011055213.tif 000022
【図２１】
2011055213.tif 000023
【図２２】
2011055213.tif 000024
【図２３】
2011055213.tif 000025
【図２４】
2011055213.tif 000026
【図２５】
2011055213.tif 000027
【図２６】
2011055213.tif 000028
【図２７】
2011055213.tif 000029
【図２８】
2011055213.tif 000030
【図２９】
2011055213.tif 000031
【図３０】
2011055213.tif 000032
【図３１】
2011055213.tif 000033
【図３２】
2011055213.tif 000034
【図３３】
2011055213.tif 000035
【図３４】
2011055213.tif 000036
【図３５】
2011055213.tif 000037